(57)【要約】本開示は、スケジューリング・リクエストを伝送する方法に関し、ユーザ機器に適用され、ユーザ機器による第１の論理チャネルに対応するスケジューリング・リクエストのための物理アップリンク制御チャネル伝送と、ユーザ機器の他の動作との間の時間ドメイン内の重複があるかどうかを判定することと、重複があることに応答して、物理アップリンク制御チャネルを通じて第１の論理チャネルに対応するスケジューリング・リクエストを伝送し、前記他の動作を一時中断することとを含む。本開示の実施形態によれば、第１の論理チャネルに対応するスケジューリング・リクエストのための物理アップリンク制御チャネル伝送と、他の動作との間の時間ドメイン内の重複があるとユーザ機器が判定すると、他の動作を一時中断することができ、物理アップリンク制御チャネルを通じて第１の論理チャネルに対応するスケジューリング・リクエストを伝送することができ、その結果、スケジューリング・リクエストによってリクエストされたアップリンク・リソースを可能な限り早く取得して、バッファ・ステータス・レポートを伝送することができ、このことにより、第１の論理チャネルに対応するサービスに必要な低遅延を保証する。【選択図】図１
2021517441.tif 000002
【特許請求の範囲】
【請求項１】
スケジューリング・リクエストを伝送する方法であって、ユーザ機器に適用され、
該ユーザ機器による第１の論理チャネルに対応するスケジューリング・リクエストのための物理アップリンク制御チャネル伝送と、該ユーザ機器の他の動作との間の時間ドメイン内の重複があるかどうかを判定するステップと、
該重複があることに応答して、該物理アップリンク制御チャネルを通じて該第１の論理チャネルに対応する該スケジューリング・リクエストを伝送し、該他の動作を一時中断するステップと
を含む、方法。
【請求項２】
前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があるかどうかを判定するステップの前に、基地局によって送信され、事前設定した論理チャネルを示す第１の構成情報を受信するステップ
をさらに含み、
前記重複があることに応答して、前記物理アップリンク制御チャネルを通じて前記第１の論理チャネルに対応する前記スケジューリング・リクエストを伝送し、前記他の動作を一時中断するステップが、
前記重複があることに応答して、前記第１の論理チャネルが、前記事前設定した論理チャネルであるかどうかを判定するステップ、
前記第１の論理チャネルが、前記事前設定した論理チャネルであることに応答して、前記物理アップリンク制御チャネルを通じて前記第１の論理チャネルに対応する前記スケジューリング・リクエストを伝送し、前記他の動作を一時中断するステップ、および
前記第１の論理チャネルが、前記事前設定した論理チャネルでないことに応答して、前記他の動作を実行するステップ
を含む、
請求項１記載の方法。
【請求項３】
前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があるかどうかを判定するステップの前に、基地局によって送信され、事前設定した機能で前記ユーザ機器が構成されたかどうかを示す第２の構成情報を受信するステップ
をさらに含み、
前記重複があることに応答して、前記物理アップリンク制御チャネルを通じて前記第１の論理チャネルに対応する前記スケジューリング・リクエストを伝送し、前記他の動作を一時中断するステップが、
前記重複があることに応答して、前記事前設定した機能で前記ユーザ機器が構成されたかどうかを判定するステップ、
前記事前設定した機能で前記ユーザ機器が構成されたことに応答して、前記物理アップリンク制御チャネルを通じて前記第１の論理チャネルに対応する前記スケジューリング・リクエストを伝送し、前記他の動作を一時中断するステップ、および
前記事前設定した機能で前記ユーザ機器が構成されなかったことに応答して、前記他の動作を実行するステップ
を含む、
請求項１記載の方法。
【請求項４】
前記他の動作が、
前記ユーザ機器によってアップリンク共有チャネルを通じて実行された、第２の論理チャネルに対応するデータ伝送、または
前記ユーザ機器によって測定ギャップ中に現在のセル以外の他のセルの周波数を監視することであって、該測定ギャップが、前記ユーザ機器によって該他のセルの該周波数を常に監視する継続期間である、監視すること
のうちの少なくとも１つを含む、請求項２または３記載の方法。
【請求項５】
前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があるかどうかを判定するステップが、
前記ユーザ機器による前記第１の論理チャネルに対応する前記スケジューリング・リクエストのための前記物理アップリンク制御チャネル伝送と、前記ユーザ機器によって前記アップリンク共有チャネルを通じて実行された、前記第２の論理チャネルに対応する前記データ伝送との間の時間ドメイン内の重複があるかどうかを判定するステップ
を含む、請求項１記載の方法。
【請求項６】
前記物理アップリンク制御チャネルを通じて前記第１の論理チャネルに対応する前記スケジューリング・リクエストを伝送し、前記他の動作を一時中断するステップが、
前記第１の論理チャネルの優先度が前記第２の論理チャネルの優先度より高いかどうかを判定するステップと、
前記第１の論理チャネルの該優先度が前記第２の論理チャネルの該優先度より高いことに応答して、前記物理アップリンク制御チャネルを通じて前記第１の論理チャネルに対応する前記スケジューリング・リクエストを伝送し、前記アップリンク共有チャネルを通じた前記第２の論理チャネルに対応する前記データ伝送を一時中断するステップと
を含む、請求項５記載の方法。
【請求項７】
前記第１の論理チャネルの前記優先度が、前記第１の論理チャネルに対応する第１のサービスに必要な遅延に反比例したものであり、
前記第２の論理チャネルの前記優先度が、前記第２の論理チャネルに対応する第２のサービスに必要な遅延に反比例したものである、
請求項６記載の方法。
【請求項８】
前記ユーザ機器による前記第１の論理チャネルに対応する前記スケジューリング・リクエストのための前記物理アップリンク制御チャネル伝送と、前記ユーザ機器によって前記アップリンク共有チャネルを通じて実行された、前記第２の論理チャネルに対応する前記データ伝送との間の時間ドメイン内の前記重複があるかどうかを判定するステップが、
事前設定した期間内の、および／または、第１の数の、第１の伝送機会の全てが、第２の数の第２の伝送機会と重複するかどうかを判定するステップであって、該第１の伝送機会が、前記物理アップリンク制御チャネルを通じて前記第１の論理チャネルに対応する前記スケジューリング・リクエストを伝送するためのものであり、該第２の伝送機会が、前記アップリンク共有チャネルを通じた前記第２の論理チャネルに対応する前記データ伝送のためのものである、ステップと、
前記判定結果が「はい」であることに応答して、前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があると判定するステップと
を含む、請求項６記載の方法。
【請求項９】
前記他の動作を一時中断するステップが、
第１の事前設定条件を満たした前記第２の数の第２の伝送機会のうちの１つにおいて、媒体アクセス制御層を介して、前記物理アップリンク制御チャネルを通じて前記第１の論理チャネルに対応する前記スケジューリング・リクエストを伝送するように物理層に命令するステップと、
該第１の事前設定条件を満たした前記第２の数の第２の伝送機会のうちの該１つにおいて、該物理層を介して、前記物理アップリンク制御チャネルを通じて前記第１の論理チャネルに対応する前記スケジューリング・リクエストを伝送するステップと
を含む、請求項８記載の方法。
【請求項１０】
前記物理アップリンク制御チャネルを通じて前記第１の論理チャネルに対応する前記スケジューリング・リクエストを伝送し、前記他の動作を一時中断するステップが、
前記第１の事前設定条件を満たした前記第２の数の第２の伝送機会のうちの前記１つにおいて、前記アップリンク共有チャネルを通じた前記第２の論理チャネルに対応する前記データ伝送を実行するように前記物理層に命令する代わりに、前記第１の事前設定条件を満たした前記第２の数の第２の伝送機会のうちの前記１つにおいて、媒体アクセス制御層を介して、前記物理アップリンク制御チャネルを通じて前記第１の論理チャネルに対応する前記スケジューリング・リクエストを伝送するように前記物理層に命令するステップ
を含む、請求項８記載の方法。
【請求項１１】
前記第１の事前設定条件を満たした前記第２の伝送機会のうちの前記１つが、
優先度が最低の第２の論理チャネルに対応する前記第２の伝送機会のうちの１つ、または
前記第１の伝送機会のうちの最も早い１つと時間ドメイン内で重複する前記第２の伝送機会のうちの１つ
を含む、請求項９または１０記載の方法。
【請求項１２】
前記第１の事前設定条件を満たした前記第２の数の第２の伝送機会のうちの前記１つにおいて、前記物理層を介して、前記物理アップリンク制御チャネルを通じて前記第１の論理チャネルに対応する前記スケジューリング・リクエストを伝送するステップが、
前記重複があることに応答して、前記第２の伝送機会が第２の事前設定条件を満たしたかどうかを判定するステップと、
前記第２の伝送機会が前記第２の事前設定条件を満たしたことに応答して、および、前記物理層を介して、前記第２の伝送機会において、前記アップリンク共有チャネルを通じた前記第２の論理チャネルに対応する前記データ伝送を実行するステップと、
前記第２の伝送機会において、前記物理層を介して、前記アップリンク共有チャネルを通じて前記第２の論理チャネルに対応する前記データ伝送を実行したことを前記媒体アクセス制御層に知らせるために、前記物理層から前記媒体アクセス制御層に第１の通知情報を伝送するステップと
を含む、請求項９記載の方法。
【請求項１３】
前記第２の事前設定条件が、前記第２の伝送機会の数が１に等しいことである、請求項１２記載の方法。
【請求項１４】
前記ユーザ機器による前記第１の論理チャネルに対応する前記スケジューリング・リクエストのための前記物理アップリンク制御チャネル伝送と、前記ユーザ機器によって前記アップリンク共有チャネルを通じて実行された、前記第２の論理チャネルに対応する前記データ伝送との間の時間ドメイン内の前記重複があるかどうかを判定するステップの前に、基地局によって送信された第３の構成情報を受信するステップと、
該第３の構成情報に基づいて前記第２の論理チャネルを決定するステップと
をさらに含む、請求項５記載の方法。
【請求項１５】
前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があるかどうかを判定するステップが、
前記ユーザ機器による前記第１の論理チャネルに対応する前記スケジューリング・リクエストのための前記物理アップリンク制御チャネル伝送と、前記ユーザ機器によって測定ギャップ中に現在のセル以外の他のセルの周波数を監視することとの間の時間ドメイン内の重複があるかどうかを判定するステップであって、該測定ギャップが、前記ユーザ機器によって前記他のセルの周波数を常に監視する継続期間である、ステップ
を含む、請求項１記載の方法。
【請求項１６】
前記物理アップリンク制御チャネルを通じて前記第１の論理チャネルに対応する前記スケジューリング・リクエストを伝送し、前記他の動作を一時中断するステップが、
前記測定ギャップ中に前記現在のセル以外の前記他のセルの前記周波数を監視することを一時中断するステップと、
前記物理アップリンク制御チャネルを通じて前記第１の論理チャネルに対応する前記スケジューリング・リクエストを伝送するステップと
を含む、請求項１５記載の方法。
【請求項１７】
前記ユーザ機器による前記第１の論理チャネルに対応する前記スケジューリング・リクエストのための前記物理アップリンク制御チャネル伝送と、前記ユーザ機器によって前記測定ギャップ中に前記現在のセル以外の前記他のセルの前記周波数を監視することとの間の時間ドメイン内の前記重複があるかどうかを判定するステップが、
事前設定した期間内の、および／または、第１の数の、第１の伝送機会の全てが、第３の数の測定ギャップと重複するかどうかを判定するステップであって、該第１の伝送機会が、前記物理アップリンク制御チャネルを通じて前記第１の論理チャネルに対応する前記スケジューリング・リクエストを伝送するためのものである、ステップと、
前記判定結果が「はい」であることに応答して、前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があると判定するステップと
を含む、請求項１６記載の方法。
【請求項１８】
前記他の動作を一時中断するステップが、
第３の事前設定条件を満たした前記第３の数の測定ギャップのうちの１つの中で、媒体アクセス制御層を介して、前記物理アップリンク制御チャネルを通じて前記第１の論理チャネルに対応する前記スケジューリング・リクエストを伝送するように物理層に命令するステップと、
該第３の事前設定条件を満たした前記第３の数の測定ギャップのうちの該１つの中で、該物理層を介して、前記物理アップリンク制御チャネルを通じて前記第１の論理チャネルに対応する前記スケジューリング・リクエストを伝送するステップと
を含む、請求項１７記載の方法。
【請求項１９】
前記第３の事前設定条件を満たす前記測定ギャップが、前記第１の伝送機会のうちの最も早い１つと時間ドメイン内で重複する前記測定ギャップのうちの１つである、請求項１８記載の方法。
【請求項２０】
前記第３の事前設定条件を満たした前記第３の数の測定ギャップのうちの前記１つの中で、前記物理層を介して、前記物理アップリンク制御チャネルを通じて前記第１の論理チャネルに対応する前記スケジューリング・リクエストを伝送するステップが、
前記重複があることに応答して、前記測定ギャップが第４の事前設定条件を満たしたかどうかを判定するステップと、
前記測定ギャップが前記第４の事前設定条件を満たしたことに応答して、前記物理層を介して、前記測定ギャップ中に前記現在のセル以外の前記他のセルの前記周波数を監視するステップと、
前記物理層を介して、前記測定ギャップ中に前記現在のセル以外の前記他のセルの前記周波数を監視したことを前記媒体アクセス制御層に知らせるために、前記物理層から前記媒体アクセス制御層に第２の通知情報を伝送するステップと
を含む、請求項１８記載の方法。
【請求項２１】
前記第４の事前設定条件が、前記測定ギャップの数が１であることである、請求項２０記載の方法。
【請求項２２】
前記物理アップリンク制御チャネルを通じて前記第１の論理チャネルに対応する前記スケジューリング・リクエストを伝送するステップが、
前記他のセルの前記周波数を監視することから、前記現在のセルの前記周波数を監視することに前記ユーザ機器がスイッチした瞬間を判定するステップと、
前記瞬間の直後に前記スケジューリング・リクエストを伝送することができる伝送機会において、前記物理アップリンク制御チャネルを通じて前記第１の論理チャネルに対応する前記スケジューリング・リクエストを伝送するステップと
を含む、請求項１６記載の方法。
【請求項２３】
スケジューリング・リクエストを伝送する装置であって、ユーザ機器に適用され、
該ユーザ機器による第１の論理チャネルに対応するスケジューリング・リクエストのための物理アップリンク制御チャネル伝送と、該ユーザ機器の他の動作との間の時間ドメイン内の重複があるかどうかを判定するように構成された重複判定モジュールと、
該重複があることに応答して、該物理アップリンク制御チャネルを通じて該第１の論理チャネルに対応する該スケジューリング・リクエストを伝送し、該他の動作を一時中断するように構成された動作実行モジュールと
を備える、装置。
【請求項２４】
基地局によって送信され、事前設定した論理チャネルを示す第１の構成情報を受信するように構成された第１の受信モジュール
をさらに備え、
前記動作実行モジュールが、
前記重複があることに応答して、前記第１の論理チャネルが、前記事前設定した論理チャネルであるかどうかを判定するように構成された第１の判定サブモジュール、ならびに
第１の実行サブモジュールであって、
前記第１の論理チャネルが、前記事前設定した論理チャネルであることに応答して、前記物理アップリンク制御チャネルを通じて前記第１の論理チャネルに対応する前記スケジューリング・リクエストを伝送し、前記他の動作を一時中断すること、および、
前記第１の論理チャネルが、前記事前設定した論理チャネルでないことに応答して、前記他の動作を実行すること
を行うように構成された、第１の実行サブモジュール
を備える、請求項２３記載の装置。
【請求項２５】
基地局によって送信され、事前設定した機能で前記ユーザ機器が構成されたかどうかを示す第２の構成情報を受信するように構成された第２の受信モジュール
をさらに備え、
前記動作実行モジュールが、
前記重複があることに応答して、前記事前設定した機能で前記ユーザ機器が構成されたかどうかを判定するように構成された第２の判定サブモジュール、ならびに
第２の実行サブモジュールであって、
前記事前設定した機能で前記ユーザ機器が構成されたことに応答して、前記物理アップリンク制御チャネルを通じて前記第１の論理チャネルに対応する前記スケジューリング・リクエストを伝送し、前記他の動作を一時中断すること、および、
前記事前設定した機能で前記ユーザ機器が構成されなかったことに応答して、前記他の動作を実行すること
を行うように構成された、第２の実行サブモジュール
を備える、請求項２３記載の装置。
【請求項２６】
前記他の動作が、
前記ユーザ機器によってアップリンク共有チャネルを通じて実行された、第２の論理チャネルに対応するデータ伝送、または
前記ユーザ機器によって測定ギャップ中に現在のセル以外の他のセルの周波数を監視することであって、該測定ギャップが、前記ユーザ機器によって該他のセルの該周波数を常に監視する継続期間である、監視すること
のうちの少なくとも１つを含む、請求項２４または２５記載の装置。
【請求項２７】
前記重複判定モジュールが、前記ユーザ機器による前記第１の論理チャネルに対応する前記スケジューリング・リクエストのための前記物理アップリンク制御チャネル伝送と、前記ユーザ機器によって前記アップリンク共有チャネルを通じて実行された、前記第２の論理チャネルに対応する前記データ伝送との間の時間ドメイン内の重複があるかどうかを判定するように構成される、請求項２３記載の装置。
【請求項２８】
前記動作実行モジュールが、
前記第１の論理チャネルの優先度が前記第２の論理チャネルの優先度より高いかどうかを判定するように構成された優先度サブモジュールと、
前記第１の論理チャネルの該優先度が前記第２の論理チャネルの該優先度より高いことに応答して、前記物理アップリンク制御チャネルを通じて前記第１の論理チャネルに対応する前記スケジューリング・リクエストを伝送し、前記アップリンク共有チャネルを通じた前記第２の論理チャネルに対応する前記データ伝送を一時中断するように構成された第３の実行サブモジュールと
を備える、請求項２７記載の装置。
【請求項２９】
前記第１の論理チャネルの前記優先度が、前記第１の論理チャネルに対応する第１のサービスに必要な遅延に反比例したものであり、前記第２の論理チャネルの前記優先度が、前記第２の論理チャネルに対応する第２のサービスに必要な遅延に反比例したものである、請求項２８記載の装置。
【請求項３０】
前記重複判定モジュールが、
事前設定した期間内の、および／または、第１の数の、第１の伝送機会の全てが、第２の数の第２の伝送機会と重複するかどうかを判定することであって、該第１の伝送機会が、前記物理アップリンク制御チャネルを通じて前記第１の論理チャネルに対応する前記スケジューリング・リクエストを伝送するためのものであり、該第２の伝送機会が、前記アップリンク共有チャネルを通じた前記第２の論理チャネルに対応する前記データ伝送のためのものである、判定することと、
前記判定結果が「はい」であることに応答して、前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があると判定することと
を行うように構成される、請求項２８記載の装置。
【請求項３１】
前記第３の実行サブモジュールが、
第１の事前設定条件を満たした前記第２の数の第２の伝送機会のうちの１つにおいて、媒体アクセス制御層を介して、前記物理アップリンク制御チャネルを通じて前記第１の論理チャネルに対応する前記スケジューリング・リクエストを伝送するように物理層に命令することと、
該第１の事前設定条件を満たした前記第２の数の第２の伝送機会のうちの該１つにおいて、該物理層を介して、前記物理アップリンク制御チャネルを通じて前記第１の論理チャネルに対応する前記スケジューリング・リクエストを伝送することと
を行うように構成される、請求項３０記載の装置。
【請求項３２】
前記第３の実行サブモジュールが、
前記第１の事前設定条件を満たした前記第２の数の第２の伝送機会のうちの前記１つにおいて、前記アップリンク共有チャネルを通じた前記第２の論理チャネルに対応する前記データ伝送を実行するように前記物理層に命令する代わりに、前記第１の事前設定条件を満たした前記第２の数の第２の伝送機会のうちの前記１つにおいて、媒体アクセス制御層を介して、前記物理アップリンク制御チャネルを通じて前記第１の論理チャネルに対応する前記スケジューリング・リクエストを伝送するように前記物理層に命令すること
を行うように構成される、請求項３０記載の装置。
【請求項３３】
前記第１の事前設定条件を満たした前記第２の伝送機会のうちの前記１つが、
優先度が最低の第２の論理チャネルに対応する前記第２の伝送機会のうちの１つ、または
前記第１の伝送機会のうちの最も早い１つと時間ドメイン内で重複する前記第２の伝送機会のうちの１つ
を含む、請求項３１または３２記載の装置。
【請求項３４】
前記重複があることに応答して、前記第２の伝送機会が第２の事前設定条件を満たしたかどうかを判定するように構成された第１の条件判定モジュールであって、
前記動作実行モジュールが、前記第２の伝送機会が前記第２の事前設定条件を満たしたことに応答して、および、前記物理層を介して、前記第２の伝送機会において、前記アップリンク共有チャネルを通じた前記第２の論理チャネルに対応する前記データ伝送を実行するようにさらに構成される、
第１の条件判定モジュールと、
前記第２の伝送機会において、前記物理層を介して、前記アップリンク共有チャネルを通じて前記第２の論理チャネルに対応する前記データ伝送を実行したことを前記媒体アクセス制御層に知らせるために、前記物理層から前記媒体アクセス制御層に第１の通知情報を伝送するように構成された第１の通知伝送モジュールと
をさらに備える、請求項３１記載の装置。
【請求項３５】
前記第２の事前設定条件が、前記第２の伝送機会の数が１に等しいことである、請求項３４に記載の装置。
【請求項３６】
基地局によって送信された第３の構成情報を受信し、該第３の構成情報に基づいて前記第２の論理チャネルを決定するように構成された第３の受信モジュール
をさらに備える、請求項２７記載の装置。
【請求項３７】
前記重複判定モジュールが、前記ユーザ機器による前記第１の論理チャネルに対応する前記スケジューリング・リクエストのための前記物理アップリンク制御チャネル伝送と、前記ユーザ機器によって測定ギャップ中に現在のセル以外の他のセルの周波数を監視することとの間の時間ドメイン内の重複があるかどうかを判定するように構成され、該測定ギャップが、前記ユーザ機器によって該他のセルの該周波数を常に監視する継続期間である、請求項２３記載の装置。
【請求項３８】
前記動作実行モジュールが、
前記測定ギャップ中に前記現在のセル以外の前記他のセルの前記周波数を監視することを一時中断することと、
前記物理アップリンク制御チャネルを通じて前記第１の論理チャネルに対応する前記スケジューリング・リクエストを伝送することと
を行うように構成される、請求項３７記載の装置。
【請求項３９】
前記重複判定モジュールが、
事前設定した期間内の、および／または、第１の数の、第１の伝送機会の全てが、第３の数の測定ギャップと重複するかどうかを判定することであって、該第１の伝送機会が、前記物理アップリンク制御チャネルを通じて前記第１の論理チャネルに対応する前記スケジューリング・リクエストを伝送するためのものである、判定することと、
前記判定結果が「はい」であることに応答して、前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があると判定することと
を行うように構成される、請求項３８記載の装置。
【請求項４０】
前記動作実行モジュールが、
第３の事前設定条件を満たした前記第３の数の測定ギャップのうちの１つの中で、媒体アクセス制御層を介して、前記物理アップリンク制御チャネルを通じて前記第１の論理チャネルに対応する前記スケジューリング・リクエストを伝送するように物理層に命令することと、
該第３の事前設定条件を満たした前記第３の数の測定ギャップのうちの該１つの中で、該物理層を介して、前記物理アップリンク制御チャネルを通じて前記第１の論理チャネルに対応する前記スケジューリング・リクエストを伝送することと
を行うように構成される、請求項３９記載の装置。
【請求項４１】
前記第３の事前設定条件を満たす前記測定ギャップが、前記第１の伝送機会のうちの最も早い１つと時間ドメイン内で重複する前記測定ギャップのうちの１つである、請求項４０記載の装置。
【請求項４２】
前記重複があることに応答して、前記測定ギャップが第４の事前設定条件を満たしたかどうかを判定するように構成された第２の条件判定モジュールであって、
前記動作実行モジュールが、前記測定ギャップが前記第４の事前設定条件を満たしたことに応答して、前記物理層を介して、前記測定ギャップ中に前記現在のセル以外の前記他のセルの前記周波数を監視するようにさらに構成される、
第２の条件判定モジュールと、
前記物理層を介して、前記測定ギャップ中に前記現在のセル以外の前記他のセルの前記周波数を監視したことを前記媒体アクセス制御層に知らせるために、前記物理層から前記媒体アクセス制御層に第２の通知情報を伝送するように構成された第２の通知伝送モジュールと
をさらに備える、請求項４０記載の装置。
【請求項４３】
前記第４の事前設定条件が、前記測定ギャップの数が１であることである、請求項４２記載の装置。
【請求項４４】
前記動作実行モジュールが、
前記他のセルの前記周波数を監視することから、前記現在のセルの前記周波数を監視することに前記ユーザ機器がスイッチした瞬間を判定するように構成された瞬間判定サブモジュールと、
前記瞬間の直後に前記スケジューリング・リクエストを伝送することができる伝送機会において、前記物理アップリンク制御チャネルを通じて前記第１の論理チャネルに対応する前記スケジューリング・リクエストを伝送するように構成された伝送サブモジュールと
を備える、請求項３８記載の装置。
【請求項４５】
電子デバイスであって、ユーザ機器に適用され、
プロセッサと、
該プロセッサによって実行可能な命令を記憶するためのメモリと
を備え、
該プロセッサが、
該ユーザ機器による第１の論理チャネルに対応するスケジューリング・リクエストのための物理アップリンク制御チャネル伝送と、該ユーザ機器の他の動作との間の時間ドメイン内の重複があるかどうかを判定すること、および
該重複があることに応答して、該物理アップリンク制御チャネルを通じて該第１の論理チャネルに対応する該スケジューリング・リクエストを伝送し、該他の動作を一時中断すること
を行うように構成される、電子デバイス。
【請求項４６】
コンピュータ・プログラムを記憶するコンピュータ可読記憶媒体であって、ユーザ機器に適用され、プロセッサによって該プログラムが実行されると、
該ユーザ機器による第１の論理チャネルに対応するスケジューリング・リクエストのための物理アップリンク制御チャネル伝送と、該ユーザ機器の他の動作との間の時間ドメイン内の重複があるかどうかを判定することと、
該重複があることに応答して、該物理アップリンク制御チャネルを通じて該第１の論理チャネルに対応する該スケジューリング・リクエストを伝送し、該他の動作を一時中断することと
を行うステップを該プロセッサが実現する、コンピュータ可読記憶媒体。
【発明の詳細な説明】
【技術分野】
【０００１】
本開示は、通信技術の分野に関し、詳細には、スケジューリング・リクエストを伝送するための方法および装置、電子デバイス、ならびにコンピュータ可読記憶媒体に関する。
【背景技術】
【０００２】
ユーザ機器が、新しいアップリンク・データを伝送することになるとき、バッファ・ステータス・レポート（ＢＳＲ：ｂｕｆｆｅｒ  ｓｔａｔｕｓ  ｒｅｐｏｒｔ）をトリガする。しかし、ＢＳＲを伝送するのに利用できるアップリンク・リソースがない場合、スケジューリング・リクエスト（ＳＲ：ｓｃｈｅｄｕｌｉｎｇ  ｒｅｑｕｅｓｔ）をトリガして、物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）リソースを通じて基地局に伝送し、アップリンク・リソースをリクエストすることができる。
【０００３】
ユーザ機器もアップリンク共有チャネル（ＵＬ−ＳＣＨ：ｕｐｌｉｎｋ  ｓｈａｒｅｄ  ｃｈａｎｎｅｌ）リソースを通じて基地局にデータを伝送する。さらに、現在のサービングセル内のユーザ機器は、測定ギャップとも呼ばれる一定期間、他のセルの周波数を監視し続ける。
【０００４】
従来技術では、ＳＲを伝送するためのＰＵＣＣＨリソースが、データを伝送するためのＵＬ−ＳＣＨリソースと、または測定ギャップと、時間ドメイン内で重複するとき、ＳＲは、ＵＬ−ＳＣＨリソースを通じてデータを伝送してしまうまで、または、測定ギャップが終わるまで、ＰＵＣＣＨリソースを通じて伝送されない。
【０００５】
いくつかのケースでは、ＳＲは、低遅延が必要なサービスによってトリガされる。しかし、従来技術でのＳＲを伝送する方式によれば、ＳＲは、ＵＬ−ＳＣＨリソースを通じてデータを伝送してしまうまで、または、測定ギャップが終わるまで、ＰＵＣＣＨリソースを通じて伝送されないので、ＳＲをトリガしてからＳＲを伝送するまで長い時間がかかり、したがって、ＳＲをトリガするサービスの遅延要件を満たすことができない。
【発明の概要】
【発明が解決しようとする課題】
【０００６】
これを考慮して、本開示の目的の１つは、スケジューリング・リクエストを伝送するための方法および装置、電子デバイス、ならびにコンピュータ可読記憶媒体を提供することである。
【課題を解決するための手段】
【０００７】
本開示の実施形態の第１の態様によれば、スケジューリング・リクエストを伝送する方法が、ユーザ機器に適用され、
ユーザ機器による第１の論理チャネルに対応するスケジューリング・リクエストのための物理アップリンク制御チャネル伝送と、ユーザ機器の他の動作との間の時間ドメイン内の重複があるかどうかを判定することと、
重複があることに応答して、物理アップリンク制御チャネルを通じて第１の論理チャネルに対応するスケジューリング・リクエストを伝送し、前記他の動作を一時中断することと
を含む。
【０００８】
いくつかの実施形態では、方法は、
ユーザ機器による第１の論理チャネルに対応するスケジューリング・リクエストのための物理アップリンク制御チャネル伝送と、ユーザ機器の前記他の動作との間の時間ドメイン内の重複があるかどうかを判定することの前に、基地局によって送信され、事前設定した論理チャネルを示す第１の構成情報を受信すること
をさらに含み、
重複があることに応答して、物理アップリンク制御チャネルを通じて第１の論理チャネルに対応するスケジューリング・リクエストを伝送し、前記他の動作を一時中断することが、
重複があることに応答して、第１の論理チャネルが、事前設定した論理チャネルであるかどうかを判定すること、
第１の論理チャネルが、事前設定した論理チャネルであることに応答して、物理アップリンク制御チャネルを通じて第１の論理チャネルに対応するスケジューリング・リクエストを伝送し、前記他の動作を一時中断すること、および
第１の論理チャネルが、事前設定した論理チャネルでないことに応答して、前記他の動作を実行すること
を含む。
【０００９】
いくつかの実施形態では、方法は、
ユーザ機器による第１の論理チャネルに対応するスケジューリング・リクエストのための物理アップリンク制御チャネル伝送と、ユーザ機器の前記他の動作との間の時間ドメイン内の重複があるかどうかを判定することの前に、基地局によって送信され、事前設定した機能でユーザ機器が構成されたかどうかを示す第２の構成情報を受信すること
をさらに含み、
重複があることに応答して、物理アップリンク制御チャネルを通じて第１の論理チャネルに対応するスケジューリング・リクエストを伝送し、前記他の動作を一時中断することが、
重複があることに応答して、事前設定した機能でユーザ機器が構成されたかどうかを判定すること、
事前設定した機能でユーザ機器が構成されたことに応答して、物理アップリンク制御チャネルを通じて第１の論理チャネルに対応するスケジューリング・リクエストを伝送し、前記他の動作を一時中断すること、および
事前設定した機能でユーザ機器が構成されなかったことに応答して、前記他の動作を実行すること
を含む。
【００１０】
いくつかの実施形態では、前記他の動作が、
ユーザ機器によってアップリンク共有チャネルを通じて実行された、第２の論理チャネルに対応するデータ伝送、または
ユーザ機器によって測定ギャップ中に現在のセル以外の他のセルの周波数を監視することであって、測定ギャップが、ユーザ機器によって前記他のセルの周波数を常に監視する継続期間である、監視すること
のうちの少なくとも１つを含む。
【００１１】
いくつかの実施形態では、ユーザ機器による第１の論理チャネルに対応するスケジューリング・リクエストのための物理アップリンク制御チャネル伝送と、ユーザ機器の前記他の動作との間の時間ドメイン内の重複があるかどうかを判定することが、
ユーザ機器による第１の論理チャネルに対応するスケジューリング・リクエストのための物理アップリンク制御チャネル伝送と、ユーザ機器によってアップリンク共有チャネルを通じて実行された、第２の論理チャネルに対応するデータ伝送との間の時間ドメイン内の重複があるかどうかを判定すること
を含む。
【００１２】
いくつかの実施形態では、物理アップリンク制御チャネルを通じて第１の論理チャネルに対応するスケジューリング・リクエストを伝送し、前記他の動作を一時中断することが、
第１の論理チャネルの優先度が第２の論理チャネルの優先度より高いかどうかを判定することと、
第１の論理チャネルの優先度が第２の論理チャネルの優先度より高いことに応答して、物理アップリンク制御チャネルを通じて第１の論理チャネルに対応するスケジューリング・リクエストを伝送し、アップリンク共有チャネルを通じて第２の論理チャネルに対応するデータ伝送を伝送することを一時中断することと
を含む。
【００１３】
いくつかの実施形態では、第１の論理チャネルの優先度が、第１の論理チャネルに対応する第１のサービスに必要な遅延に反比例したものであり、第２の論理チャネルの優先度が、第２の論理チャネルに対応する第２のサービスに必要な遅延に反比例したものである。
【００１４】
いくつかの実施形態では、ユーザ機器による第１の論理チャネルに対応するスケジューリング・リクエストのための物理アップリンク制御チャネル伝送と、ユーザ機器によってアップリンク共有チャネルを通じて実行された、第２の論理チャネルに対応するデータ伝送との間の時間ドメイン内の重複があるかどうかを判定することが、
事前設定した期間内の、および／または、第１の数の、第１の伝送機会の全てが、第２の数の第２の伝送機会と重複するかどうかを判定することであって、第１の伝送機会が、物理アップリンク制御チャネルを通じて第１の論理チャネルに対応するスケジューリング・リクエストを伝送するためのものであり、第２の伝送機会が、アップリンク共有チャネルを通じた第２の論理チャネルに対応するデータ伝送のためのものである、判定することと、
判定結果が「はい」であることに応答して、ユーザ機器による第１の論理チャネルに対応するスケジューリング・リクエストのための物理アップリンク制御チャネル伝送と、ユーザ機器の前記他の動作との間の時間ドメイン内の重複があると判定することと
を含む。
【００１５】
いくつかの実施形態では、前記他の動作を一時中断することが、
第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令することと、
第１の事前設定条件を満たした第２の数の第２の伝送機会のうちの１つにおいて、物理層を介して、物理アップリンク制御チャネルを通じて第１の論理チャネルに対応するスケジューリング・リクエストを伝送することと
を含む。
【００１６】
いくつかの実施形態では、物理アップリンク制御チャネルを通じて第１の論理チャネルに対応するスケジューリング・リクエストを伝送し、前記他の動作を一時中断することが、
第１の事前設定条件を満たした第２の数の第２の伝送機会のうちの１つにおいて、アップリンク共有チャネルを通じた第２の論理チャネルに対応するデータ伝送を実行するように物理層に命令する代わりに、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令すること
を含む。
【００１７】
いくつかの実施形態では、第１の事前設定条件を満たした第２の伝送機会のうちの１つが、
優先度が最低の第２の論理チャネルに対応する第２の伝送機会のうちの１つ、または
第１の伝送機会のうちの最も早い１つと時間ドメイン内で重複する第２の伝送機会のうちの１つ
を含む。
【００１８】
いくつかの実施形態では、第１の事前設定条件を満たした第２の数の第２の伝送機会のうちの１つにおいて、物理層を介して、物理アップリンク制御チャネルを通じて第１の論理チャネルに対応するスケジューリング・リクエストを伝送することが、
重複があることに応答して、第２の伝送機会が第２の事前設定条件を満たしたかどうかを判定することと、
第２の伝送機会が第２の事前設定条件を満たしたことに応答して、および、物理層を介して、第２の伝送機会において、アップリンク共有チャネルを通じた第２の論理チャネルに対応するデータ伝送を実行することと、
第２の伝送機会において、物理層を介して、アップリンク共有チャネルを通じて第２の論理チャネルに対応するデータ伝送を実行したことを媒体アクセス制御層に知らせるために、物理層から媒体アクセス制御層に第１の通知情報を伝送することと
を含む。
【００１９】
いくつかの実施形態では、第２の事前設定条件は、第２の伝送機会の数が１に等しいことである。
【００２０】
いくつかの実施形態では、方法は、
ユーザ機器による第１の論理チャネルに対応するスケジューリング・リクエストのための物理アップリンク制御チャネル伝送と、ユーザ機器によってアップリンク共有チャネルを通じて実行された、第２の論理チャネルに対応するデータ伝送との間の時間ドメイン内の重複があるかどうかを判定することの前に、基地局によって送信された第３の構成情報を受信することと、第３の構成情報に基づいて第２の論理チャネルを決定することと
をさらに含む。
【００２１】
いくつかの実施形態では、ユーザ機器による第１の論理チャネルに対応するスケジューリング・リクエストのための物理アップリンク制御チャネル伝送と、ユーザ機器の前記他の動作との間の時間ドメイン内の重複があるかどうかを判定することが、
ユーザ機器による第１の論理チャネルに対応するスケジューリング・リクエストのための物理アップリンク制御チャネル伝送と、ユーザ機器によって測定ギャップ中に現在のセル以外の他のセルの周波数を監視することとの間の時間ドメイン内の重複があるかどうかを判定することであって、測定ギャップが、ユーザ機器によって前記他のセルの周波数を常に監視する継続期間である、判定すること
を含む。
【００２２】
いくつかの実施形態では、物理アップリンク制御チャネルを通じて第１の論理チャネルに対応するスケジューリング・リクエストを伝送し、前記他の動作を一時中断することが、
測定ギャップ中に現在のセル以外の前記他のセルの周波数を監視することを一時中断することと、物理アップリンク制御チャネルを通じて第１の論理チャネルに対応するスケジューリング・リクエストを伝送することと
を含む。
【００２３】
いくつかの実施形態では、ユーザ機器による第１の論理チャネルに対応するスケジューリング・リクエストのための物理アップリンク制御チャネル伝送と、ユーザ機器によって測定ギャップ中に現在のセル以外の前記他のセルの周波数を監視することとの間の時間ドメイン内の重複があるかどうかを判定することが、
事前設定した期間内の、および／または、第１の数の、第１の伝送機会の全てが、第３の数の測定ギャップと重複するかどうかを判定することであって、第１の伝送機会が、物理アップリンク制御チャネルを通じて第１の論理チャネルに対応するスケジューリング・リクエストを伝送するためのものである、判定することと、
判定結果が「はい」であることに応答して、ユーザ機器による第１の論理チャネルに対応するスケジューリング・リクエストのための物理アップリンク制御チャネル伝送と、ユーザ機器の前記他の動作との間の時間ドメイン内の重複があると判定することと
を含む。
【００２４】
いくつかの実施形態では、前記他の動作を一時中断することが、
第３の事前設定条件を満たした第３の数の測定ギャップのうちの１つの中で、媒体アクセス制御層を介して、物理アップリンク制御チャネルを通じて第１の論理チャネルに対応するスケジューリング・リクエストを伝送するように物理層に命令することと、
第３の事前設定条件を満たした第３の数の測定ギャップのうちの１つの中で、物理層を介して、物理アップリンク制御チャネルを通じて第１の論理チャネルに対応するスケジューリング・リクエストを伝送することと
を含む。
【００２５】
いくつかの実施形態では、第３の事前設定条件を満たす測定ギャップが、第１の伝送機会のうちの最も早い１つと時間ドメイン内で重複する測定ギャップのうちの１つである。
【００２６】
いくつかの実施形態では、第３の事前設定条件を満たした第３の数の測定ギャップのうちの１つの中で、物理層を介して、物理アップリンク制御チャネルを通じて第１の論理チャネルに対応するスケジューリング・リクエストを伝送することが、
重複があることに応答して、測定ギャップが第４の事前設定条件を満たしたかどうかを判定することと、
測定ギャップが第４の事前設定条件を満たしたことに応答して、物理層を介して、測定ギャップ中に現在のセル以外の前記他のセルの周波数を監視することと、
物理層を介して、測定ギャップ中に現在のセル以外の前記他のセルの周波数を監視したことを媒体アクセス制御層に知らせるために、物理層から媒体アクセス制御層に第２の通知情報を伝送することと
を含む。
【００２７】
いくつかの実施形態では、第４の事前設定条件が、測定ギャップの数が１であることである。
【００２８】
いくつかの実施形態では、物理アップリンク制御チャネルを通じて第１の論理チャネルに対応するスケジューリング・リクエストを伝送することが、
前記他のセルの周波数を監視することから、現在のセルの周波数を監視することにユーザ機器がスイッチした瞬間を判定することと、
この瞬間の直後にスケジューリング・リクエストを伝送することができる伝送機会において、物理アップリンク制御チャネルを通じて第１の論理チャネルに対応するスケジューリング・リクエストを伝送することと
を含む。
【００２９】
本開示の実施形態の第２の態様によれば、スケジューリング・リクエストを伝送するための装置が、ユーザ機器に適用され、
ユーザ機器による第１の論理チャネルに対応するスケジューリング・リクエストのための物理アップリンク制御チャネル伝送と、ユーザ機器の他の動作との間の時間ドメイン内の重複があるかどうかを判定するように構成された重複判定モジュールと、
重複があることに応答して、物理アップリンク制御チャネルを通じて第１の論理チャネルに対応するスケジューリング・リクエストを伝送し、前記他の動作を一時中断するように構成された動作実行モジュールと
を含む。
【００３０】
いくつかの実施形態では、装置は、
基地局によって送信され、事前設定した論理チャネルを示す第１の構成情報を受信するように構成された第１の受信モジュール
をさらに含み、
動作実行モジュールが、
重複があることに応答して、第１の論理チャネルが、事前設定した論理チャネルであるかどうかを判定するように構成された第１の判定サブモジュール、ならびに
第１の実行サブモジュールであって、第１の論理チャネルが、事前設定した論理チャネルであることに応答して、物理アップリンク制御チャネルを通じて第１の論理チャネルに対応するスケジューリング・リクエストを伝送し、前記他の動作を一時中断すること、および、第１の論理チャネルが、事前設定した論理チャネルでないことに応答して、前記他の動作を実行することを行うように構成された、第１の実行サブモジュール
を含む。
【００３１】
いくつかの実施形態では、装置は、
基地局によって送信され、事前設定した機能でユーザ機器が構成されたかどうかを示す第２の構成情報を受信するように構成された第２の受信モジュール
をさらに含み、
動作実行モジュールが、
重複があることに応答して、事前設定した機能でユーザ機器が構成されたかどうかを判定するように構成された第２の判定サブモジュール、ならびに
第２の実行サブモジュールであって、事前設定した機能でユーザ機器が構成されたことに応答して、物理アップリンク制御チャネルを通じて第１の論理チャネルに対応するスケジューリング・リクエストを伝送し、前記他の動作を一時中断すること、および、事前設定した機能でユーザ機器が構成されなかったことに応答して、前記他の動作を実行することを行うように構成された、第２の実行サブモジュール
を含む。
【００３２】
いくつかの実施形態では、前記他の動作が、
ユーザ機器によってアップリンク共有チャネルを通じて実行された、第２の論理チャネルに対応するデータ伝送、または
ユーザ機器によって測定ギャップ中に現在のセル以外の他のセルの周波数を監視することであって、測定ギャップが、ユーザ機器によって前記他のセルの周波数を常に監視する継続期間である、監視すること
のうちの少なくとも１つを含む。
【００３３】
いくつかの実施形態では、重複判定モジュールが、ユーザ機器による第１の論理チャネルに対応するスケジューリング・リクエストのための物理アップリンク制御チャネル伝送と、ユーザ機器によってアップリンク共有チャネルを通じて実行された、第２の論理チャネルに対応するデータ伝送との間の時間ドメイン内の重複があるかどうかを判定するように構成される。
【００３４】
いくつかの実施形態では、動作実行モジュールが、
第１の論理チャネルの優先度が第２の論理チャネルの優先度より高いかどうかを判定するように構成された優先度サブモジュールと、
第１の論理チャネルの優先度が第２の論理チャネルの優先度より高いことに応答して、物理アップリンク制御チャネルを通じて第１の論理チャネルに対応するスケジューリング・リクエストを伝送し、アップリンク共有チャネルを通じた第２の論理チャネルに対応するデータ伝送を一時中断するように構成された第３の実行サブモジュールと
を含む。
【００３５】
いくつかの実施形態では、第１の論理チャネルの優先度が、第１の論理チャネルに対応する第１のサービスに必要な遅延に反比例したものであり、第２の論理チャネルの優先度が、第２の論理チャネルに対応する第２のサービスに必要な遅延に反比例したものである。
【００３６】
いくつかの実施形態では、重複判定モジュールが、
事前設定した期間内の、および／または、第１の数の、第１の伝送機会の全てが、第２の数の第２の伝送機会と重複するかどうかを判定することであって、第１の伝送機会が、物理アップリンク制御チャネルを通じて第１の論理チャネルに対応するスケジューリング・リクエストを伝送するためのものであり、第２の伝送機会が、アップリンク共有チャネルを通じた第２の論理チャネルに対応するデータ伝送のためのものである、判定することと、
判定結果が「はい」であることに応答して、ユーザ機器による第１の論理チャネルに対応するスケジューリング・リクエストのための物理アップリンク制御チャネル伝送と、ユーザ機器の前記他の動作との間の時間ドメイン内の重複があると判定することと
を行うように構成される。
【００３７】
いくつかの実施形態では、第３の実行サブモジュールが、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令することと、第１の事前設定条件を満たした第２の数の第２の伝送機会のうちの１つにおいて、物理層を介して、物理アップリンク制御チャネルを通じて第１の論理チャネルに対応するスケジューリング・リクエストを伝送することとを行うように構成される。
【００３８】
いくつかの実施形態では、第３の実行サブモジュールが、第１の事前設定条件を満たした第２の数の第２の伝送機会のうちの１つにおいて、アップリンク共有チャネルを通じた第２の論理チャネルに対応するデータ伝送を実行するように物理層に命令する代わりに、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令することを行うように構成される。
【００３９】
いくつかの実施形態では、第１の事前設定条件を満たした第２の伝送機会のうちの１つが、
優先度が最低の第２の論理チャネルに対応する第２の伝送機会のうちの１つ、または
第１の伝送機会のうちの最も早い１つと時間ドメイン内で重複する第２の伝送機会のうちの１つ
を含む。
【００４０】
いくつかの実施形態では、装置は、
重複があることに応答して、第２の伝送機会が第２の事前設定条件を満たしたかどうかを判定するように構成された第１の条件判定モジュールであって、
動作実行モジュールが、第２の伝送機会が第２の事前設定条件を満たしたことに応答して、および、物理層を介して、第２の伝送機会において、アップリンク共有チャネルを通じた第２の論理チャネルに対応するデータ伝送を実行するようにさらに構成される、
第１の条件判定モジュールと、
第２の伝送機会において、物理層を介して、アップリンク共有チャネルを通じて第２の論理チャネルに対応するデータ伝送を実行したことを媒体アクセス制御層に知らせるために、物理層から媒体アクセス制御層に第１の通知情報を伝送するように構成された第１の通知伝送モジュールと
をさらに含む。
【００４１】
いくつかの実施形態では、第２の事前設定条件は、第２の伝送機会の数が１に等しいことである。
【００４２】
いくつかの実施形態では、装置は、
基地局によって送信された第３の構成情報を受信し、第３の構成情報に基づいて第２の論理チャネルを決定するように構成された第３の受信モジュール
をさらに含む。
【００４３】
いくつかの実施形態では、重複判定モジュールが、ユーザ機器による第１の論理チャネルに対応するスケジューリング・リクエストのための物理アップリンク制御チャネル伝送と、ユーザ機器によって測定ギャップ中に現在のセル以外の他のセルの周波数を監視することとの間の時間ドメイン内の重複があるかどうかを判定するように構成され、測定ギャップが、ユーザ機器によって前記他のセルの周波数を常に監視する継続期間である。
【００４４】
いくつかの実施形態では、動作実行モジュールが、測定ギャップ中に現在のセル以外の前記他のセルの周波数を監視することを一時中断することと、物理アップリンク制御チャネルを通じて第１の論理チャネルに対応するスケジューリング・リクエストを伝送することとを行うように構成される。
【００４５】
いくつかの実施形態では、重複判定モジュールが、
事前設定した期間内の、および／または、第１の数の、第１の伝送機会の全てが、第３の数の測定ギャップと重複するかどうかを判定することであって、第１の伝送機会が、物理アップリンク制御チャネルを通じて第１の論理チャネルに対応するスケジューリング・リクエストを伝送するためのものである、判定することと、
判定結果が「はい」であることに応答して、ユーザ機器による第１の論理チャネルに対応するスケジューリング・リクエストのための物理アップリンク制御チャネル伝送と、ユーザ機器の前記他の動作との間の時間ドメイン内の重複があると判定することと
を行うように構成される。
【００４６】
いくつかの実施形態では、動作実行モジュールが、
第３の事前設定条件を満たした第３の数の測定ギャップのうちの１つの中で、媒体アクセス制御層を介して、物理アップリンク制御チャネルを通じて第１の論理チャネルに対応するスケジューリング・リクエストを伝送するように物理層に命令することと、
第３の事前設定条件を満たした第３の数の測定ギャップのうちの１つの中で、物理層を介して、物理アップリンク制御チャネルを通じて第１の論理チャネルに対応するスケジューリング・リクエストを伝送することと
を行うように構成される。
【００４７】
いくつかの実施形態では、第３の事前設定条件を満たす測定ギャップが、第１の伝送機会のうちの最も早い１つと時間ドメイン内で重複する測定ギャップのうちの１つである。
【００４８】
いくつかの実施形態では、装置は、
重複があることに応答して、測定ギャップが第４の事前設定条件を満たしたかどうかを判定するように構成された第２の条件判定モジュールであって、
動作実行モジュールが、測定ギャップが第４の事前設定条件を満たしたことに応答して、物理層を介して、測定ギャップ中に現在のセル以外の前記他のセルの周波数を監視するようにさらに構成される、
第２の条件判定モジュールと、
物理層を介して、測定ギャップ中に現在のセル以外の前記他のセルの周波数を監視したことを媒体アクセス制御層に知らせるために、物理層から媒体アクセス制御層に第２の通知情報を伝送するように構成された第２の通知伝送モジュールと
をさらに含む。
【００４９】
いくつかの実施形態では、第４の事前設定条件が、測定ギャップの数が１であることである。
【００５０】
いくつかの実施形態では、動作実行モジュールが、
前記他のセルの周波数を監視することから、現在のセルの周波数を監視することにユーザ機器がスイッチした瞬間を判定するように構成された瞬間判定サブモジュールと、
この瞬間の直後にスケジューリング・リクエストを伝送することができる伝送機会において、物理アップリンク制御チャネルを通じて第１の論理チャネルに対応するスケジューリング・リクエストを伝送するように構成された伝送サブモジュールと
を含む。
【００５１】
本開示の実施形態の第３の態様によれば、電子デバイスが、ユーザ機器に適用され、
プロセッサと、
プロセッサによって実行可能な命令を記憶するためのメモリと
を含み、
プロセッサが、
ユーザ機器による第１の論理チャネルに対応するスケジューリング・リクエストのための物理アップリンク制御チャネル伝送と、ユーザ機器の他の動作との間の時間ドメイン内の重複があるかどうかを判定すること、および
重複があることに応答して、物理アップリンク制御チャネルを通じて第１の論理チャネルに対応するスケジューリング・リクエストを伝送し、前記他の動作を一時中断すること
を行うように構成される。
【００５２】
本開示の実施形態の第４の態様によれば、コンピュータ・プログラムを記憶するコンピュータ可読記憶媒体が提供され、ユーザ機器に適用され、プロセッサによってプログラムが実行されると、
ユーザ機器による第１の論理チャネルに対応するスケジューリング・リクエストのための物理アップリンク制御チャネル伝送と、ユーザ機器の他の動作との間の時間ドメイン内の重複があるかどうかを判定することと、
重複があることに応答して、物理アップリンク制御チャネルを通じて第１の論理チャネルに対応するスケジューリング・リクエストを伝送し、前記他の動作を一時中断することと
を行うステップをプロセッサが実現する。
【００５３】
本開示の実施形態によれば、第１の論理チャネルに対応するスケジューリング・リクエストのための物理アップリンク制御チャネル伝送と、他の動作との間の時間ドメイン内の重複があるとユーザ機器が判定すると、他の動作を一時中断することができ、物理アップリンク制御チャネルを通じて第１の論理チャネルに対応するスケジューリング・リクエストを伝送することができ、その結果、スケジューリング・リクエストによってリクエストされたアップリンク・リソースを可能な限り早く取得して、バッファ・ステータス・レポートを伝送することができ、このことにより、第１の論理チャネルに対応するサービスに必要な低遅延を保証する。
【００５４】
本開示の実施形態によってより明確に提供される技術的解決策を説明するために、実施形態の説明で使用される図面を簡単に紹介する。以下の説明における図面は本開示のいくつかの実施形態を示すにすぎず、これらの図面に基づくと、当業者が創作的作業をしなくても他の図面を得ることができるということは明らかである。
【図面の簡単な説明】
【００５５】
【図１】本開示の１つの実施形態によるスケジューリング・リクエストを伝送する方法を示す概略流れ図である。
【００５６】
【図２】本開示の１つの実施形態によるスケジューリング・リクエストを伝送する別の方法を示す概略流れ図である。
【００５７】
【図３】本開示の１つの実施形態によるスケジューリング・リクエストを伝送する別の方法を示す概略流れ図である。
【００５８】
【図４】本開示の１つの実施形態によるスケジューリング・リクエストを伝送する別の方法を示す概略流れ図である。
【００５９】
【図５】本開示の１つの実施形態によるスケジューリング・リクエストを伝送する別の方法を示す概略流れ図である。
【００６０】
【図６】本開示の１つの実施形態によるスケジューリング・リクエストを伝送する別の方法を示す概略流れ図である。
【００６１】
【図７】本開示の１つの実施形態によるスケジューリング・リクエストを伝送する別の方法を示す概略流れ図である。
【００６２】
【図８】本開示の１つの実施形態によるスケジューリング・リクエストを伝送する別の方法を示す概略流れ図である。
【００６３】
【図９】本開示の１つの実施形態によるスケジューリング・リクエストを伝送する別の方法を示す概略流れ図である。
【００６４】
【図１０】本開示の１つの実施形態によるスケジューリング・リクエストを伝送する別の方法を示す概略流れ図である。
【００６５】
【図１１】本開示の１つの実施形態によるスケジューリング・リクエストを伝送する別の方法を示す概略流れ図である。
【００６６】
【図１２】本開示の１つの実施形態によるスケジューリング・リクエストを伝送する別の方法を示す概略流れ図である。
【００６７】
【図１３】本開示の１つの実施形態によるスケジューリング・リクエストを伝送する別の方法を示す概略流れ図である。
【００６８】
【図１４】本開示の１つの実施形態によるスケジューリング・リクエストを伝送する別の方法を示す概略流れ図である。
【００６９】
【図１５】本開示の１つの実施形態によるスケジューリング・リクエストを伝送する別の方法を示す概略流れ図である。
【００７０】
【図１６】本開示の１つの実施形態によるスケジューリング・リクエストを伝送するための装置を示す概略ブロック図である。
【００７１】
【図１７】本開示の１つの実施形態によるスケジューリング・リクエストを伝送するための別の装置を示す概略ブロック図である。
【００７２】
【図１８】本開示の１つの実施形態によるスケジューリング・リクエストを伝送するための別の装置を示す概略ブロック図である。
【００７３】
【図１９】本開示の１つの実施形態による動作実行モジュールを示す概略ブロック図である。
【００７４】
【図２０】本開示の１つの実施形態によるスケジューリング・リクエストを伝送するための別の装置を示す概略ブロック図である。
【００７５】
【図２１】本開示の１つの実施形態によるスケジューリング・リクエストを伝送するための別の装置を示す概略ブロック図である。
【００７６】
【図２２】本開示の１つの実施形態によるスケジューリング・リクエストを伝送するための別の装置を示す概略ブロック図である。
【００７７】
【図２３】本開示の１つの実施形態によるスケジューリング・リクエストを伝送するための別の装置を示す概略ブロック図である。
【００７８】
【図２４】本開示の１つの実施形態によるスケジューリング・リクエストの伝送に適用できるデバイスを示す概略ブロック図である。
【発明を実施するための形態】
【００７９】
以下は、本開示の図面と共に、本開示の実施形態で提供される技術的解決策を明確かつ完全に説明する。説明される実施形態は部分的な例であり、本開示の全ての実装形態ではないということは明らかである。本開示で提供される実施形態に基づいて、他の実施形態の全ては、創作的作業をしなくても当業者によって得ることが可能であり、本出願の保護範囲の範囲に含まれる。
【００８０】
図１は、本開示の１つの実施形態によるスケジューリング・リクエストを伝送する方法を示す概略流れ図である。本実施形態で示したスケジューリング・リクエストを伝送する方法は、携帯電話、タブレット型コンピュータ、等などのユーザ機器に適用することができる。ユーザは、ＬＴＥ通信またはＮＲ通信を利用することができる。
【００８１】
図１に示したように、スケジューリング・リクエストを伝送する方法は、以下のステップを含むことができる。
【００８２】
ステップＳ１において、ユーザ機器による第１の論理チャネルに対応するスケジューリング・リクエストのための物理アップリンク制御チャネル伝送と、ユーザ機器の他の動作との間の時間ドメイン内の重複があるかどうかを判定する。
【００８３】
１つの実施形態では、第１の論理チャネルは、任意の論理チャネルであってもよい。さらに、第１の論理チャネルは、一定のサービスと相関関係があり、第１の論理チャネルに対応するサービスのデータおよびシグナリングを伝送することができる。第１の論理チャネルに対応するサービスのデータを基地局に伝送するために、ユーザ機器は、ＢＳＲをトリガすることができる。ＢＳＲを伝送するのに利用できるアップリンク・リソースがないとき、ＳＲ、すなわち、スケジューリング・リクエストを、第１の論理チャネルに対応するスケジューリング・リクエストとしてトリガすることができる。
【００８４】
１つの実施形態では、スケジューリング・リクエストをトリガした後、ユーザ機器は、物理アップリンク制御チャネル（ＰＵＣＣＨ）を通じてスケジューリング・リクエストを基地局に伝送することができる。しかし、スケジューリング・リクエストのための物理アップリンク制御チャネル伝送の動作と、ユーザ機器の他の動作との間の時間ドメイン内の重複がある可能性がある。さらに、ユーザ機器は、ユーザ機器による第１の論理チャネルに対応するスケジューリング・リクエストのための物理アップリンク制御チャネル伝送と、ユーザ機器の他の動作との間の時間ドメイン内の重複があるかどうかを判定することができる。
【００８５】
例えば、ユーザ機器は、現在の瞬間の後、物理アップリンク制御チャネルを通じてスケジューリング・リクエストを伝送するのに利用できる第１の伝送機会を決定し、他の動作を実行するための時間帯を決定することができる。次に、ユーザ機器は、第１の伝送機会と、他の動作を実行するための時間帯との間の重複があるかどうかを判定することができる。
【００８６】
いくつかの実施形態では、１つまたは複数の第１の伝送機会、および、他の動作を実行するための１つまたは複数の時間帯がある可能性がある。
【００８７】
例えば、現在の瞬間の後の事前設定した期間内に、複数の第１の伝送機会、および、他の動作を実行するための複数の時間帯がある場合、第１の数の第１の伝送機会の全てが、他の動作を実行するための第２の数の時間帯と重複する状況に応じて、第１の論理チャネルに対応するスケジューリング・リクエストのための物理アップリンク制御チャネル伝送と、ユーザ機器の他の動作との間の時間ドメイン内の重複があるかどうかを判定することができ、または、事前設定した期間内の第１の伝送機会の全てが、他の動作を実行するための時間帯と重複する状況に応じて、第１の論理チャネルに対応するスケジューリング・リクエストのための物理アップリンク制御チャネル伝送と、ユーザ機器の他の動作との間の時間ドメイン内の重複があるかどうかを判定することができる。重複を判定するための特定の方式は、必要に応じて設定することができる。
【００８８】
第１の伝送機会の全てが、他の動作を実行するための時間帯と重複する状況は、他の動作を実行するための１つまたは複数の時間帯によって、第１の伝送機会の一部が時間ドメイン内に含まれる状況を含むことができ、第１の伝送機会の一部が、他の動作を実行するための１つまたは複数の時間帯と時間ドメイン内で部分的に重複する状況をさらに含むことができるということに留意されたい。
【００８９】
ステップＳ２において、重複があると判定した場合、他の動作を一時中断し、物理アップリンク制御チャネルを通じて第１の論理チャネルに対応するスケジューリング・リクエストを伝送する。
【００９０】
１つの実施形態では、第１の論理チャネルに対応するスケジューリング・リクエストのための物理アップリンク制御チャネル伝送と、他の動作との間の時間ドメイン内の重複があるとユーザ機器が判定すると、他の動作を一時中断することができ、物理アップリンク制御チャネルを通じて第１の論理チャネルに対応するスケジューリング・リクエストを伝送することができ、その結果、スケジューリング・リクエストによってリクエストされたアップリンク・リソースを可能な限り早く取得して、バッファ・ステータス・レポートを伝送することができ、このことにより、第１の論理チャネルに対応するサービスに必要な低遅延を保証する。
【００９１】
図２は、本開示の１つの実施形態によるスケジューリング・リクエストを伝送する別の方法を示す概略流れ図である。図２に示したように、図１に示した実施形態に基づいて、方法は、さらに以下のステップを含む。
【００９２】
ステップＳ３において、ユーザ機器による第１の論理チャネルに対応するスケジューリング・リクエストのための物理アップリンク制御チャネル伝送と、ユーザ機器の他の動作との間の時間ドメイン内の重複があるかどうかを判定する前に、基地局によって送信された第１の構成情報を受信する。第１の構成情報は、事前設定した論理チャネルを示す。
【００９３】
したがって、ステップは、重複があると判定した場合、他の動作を一時中断し、物理アップリンク制御チャネルを通じて第１の論理チャネルに対応するスケジューリング・リクエストを伝送するものであるが、以下のステップを含む。
【００９４】
ステップＳ２０１において、重複があると判定した場合、第１の論理チャネルが、事前設定した論理チャネルであるかどうかを判定する。
【００９５】
ステップＳ２０２において、第１の論理チャネルが、事前設定した論理チャネルである場合、他の動作を一時中断し、物理アップリンク制御チャネルを通じて第１の論理チャネルに対応するスケジューリング・リクエストを伝送する。
【００９６】
ステップＳ２０３において、第１の論理チャネルが、事前設定した論理チャネルでない場合、他の動作を実行する。
【００９７】
１つの実施形態では、第１の論理チャネルが、事前設定した論理チャネルであるときだけ、物理アップリンク制御チャネルを通じて第１の論理チャネルに対応するスケジューリング・リクエストを伝送することと、さらに他の動作との時間ドメイン内の重複があるとき、他の動作を一時中断し、物理アップリンク制御チャネルを通じて第１の論理チャネルに対応するスケジューリング・リクエストを伝送することと、第１の論理チャネルが、事前設定した論理チャネルでない場合、他の動作を実行し続けることとをユーザ機器に命令するように、基地局からユーザ機器に第１の構成情報を送信することができる。
【００９８】
図３は、本開示の１つの実施形態によるスケジューリング・リクエストを伝送する別の方法を示す概略流れ図である。図３に示したように、図１に示した実施形態に基づいて、方法は、さらに以下のステップを含む。
【００９９】
ステップＳ４において、ユーザ機器による第１の論理チャネルに対応するスケジューリング・リクエストのための物理アップリンク制御チャネル伝送と、ユーザ機器の他の動作との間の時間ドメイン内の重複があるかどうかを判定する前に、基地局によって送信された第２の構成情報を受信する。第２の構成情報は、事前設定した機能でユーザ機器が構成されたかどうかを示す。
【０１００】
したがって、ステップは、重複があると判定した場合、他の動作を一時中断し、物理アップリンク制御チャネルを通じて第１の論理チャネルに対応するスケジューリング・リクエストを伝送するものであるが、以下のステップを含む。
【０１０１】
ステップＳ２０４において、重複があると判定した場合、事前設定した機能でユーザ機器が構成されたかどうかを判定する。
【０１０２】
ステップＳ２０５において、ユーザ機器が、事前設定した機能で構成された場合、他の動作を一時中断し、物理アップリンク制御チャネルを通じて第１の論理チャネルに対応するスケジューリング・リクエストを伝送する。
【０１０３】
ステップＳ２０６において、ユーザ機器が、事前設定した機能で構成されなかった場合、他の動作を実行する。
【０１０４】
１つの実施形態では、ユーザ機器が、事前設定した機能で構成されたときだけ、物理アップリンク制御チャネルを通じて第１の論理チャネルに対応するスケジューリング・リクエストを伝送することと、さらに他の動作との時間ドメイン内の重複があるとき、他の動作を一時中断し、物理アップリンク制御チャネルを通じて第１の論理チャネルに対応するスケジューリング・リクエストを伝送することと、事前設定した機能が構成されなかった場合、他の動作を実行し続けることとをユーザ機器に命令するように、基地局からユーザ機器に第２の構成情報を送信することができる。
【０１０５】
例えば、事前設定した機能は、第１の論理チャネルに対応するスケジューリング・リクエストのための物理アップリンク制御チャネル伝送と、他の動作との間の時間ドメイン内の重複があるとき、他の動作を一時中断し、物理アップリンク制御チャネルを通じて第１の論理チャネルに対応するスケジューリング・リクエストを伝送することのような機能であってもよい。
【０１０６】
いくつかの実施形態では、他の動作は、
ユーザ機器によってアップリンク共有チャネルを通じて実行された、第２の論理チャネルに対応するデータ伝送、および／または、
ユーザ機器によって測定ギャップ中に現在のセル以外の他のセルの周波数を監視すること
を含む。例えば、測定ギャップは、ユーザ機器によって他のセルの周波数を常に監視する継続期間である。
【０１０７】
１つの実施形態では、基地局は、事前設定した論理チャネルを示すことができ、または、他の動作が、アップリンク共有チャネルを通じた第２の論理チャネルに対応するデータ伝送をユーザ機器が実行することであるとき、事前設定した機能でユーザ機器が構成されたかどうかを示すことができる。基地局は、事前設定した論理チャネルさらに示すことができ、または、他の動作が、測定ギャップ中に現在のセル以外の他のセルの周波数をユーザ機器が監視することであるとき、事前設定した機能でユーザ機器が構成されたかどうかを示すことができる。
【０１０８】
いくつかの実施形態では、第２の論理チャネルは、任意の論理チャネルであるが、第１の論理チャネルとは異なってもよい。さらに、第２の論理チャネルは、一定のサービスと相関関係があり、対応するサービスのデータおよびシグナリングを伝送することができる。
【０１０９】
図４は、本開示の１つの実施形態によるスケジューリング・リクエストを伝送する別の方法を示す概略流れ図である。図４に示したように、図１に示した実施形態に基づいて、ステップは、ユーザ機器による第１の論理チャネルに対応するスケジューリング・リクエストのための物理アップリンク制御チャネル伝送と、ユーザ機器の他の動作との間の時間ドメイン内の重複があるかどうかを判定するものであるが、以下のステップを含む。
【０１１０】
ステップＳ１０１において、ユーザ機器による第１の論理チャネルに対応するスケジューリング・リクエストのための物理アップリンク制御チャネル伝送と、ユーザ機器によるアップリンク共有チャネルを通じた第２の論理チャネルに対応するデータ伝送との間の時間ドメイン内の重複があるかどうかを判定する。
【０１１１】
１つの実施形態では、他の動作が、ユーザ機器によるアップリンク共有チャネルを通じた第２の論理チャネルに対応するデータ伝送であるとき、ユーザ機器による第１の論理チャネルに対応するスケジューリング・リクエストのための物理アップリンク制御チャネル伝送と、ユーザ機器によるアップリンク共有チャネルを通じた第２の論理チャネルに対応するデータ伝送との間の時間ドメイン内の重複があるかどうかを判定することができる。
【０１１２】
図５は、本開示の１つの実施形態によるスケジューリング・リクエストを伝送する別の方法を示す概略流れ図である。図５に示したように、図４に示した実施形態に基づいて、ステップは、他の動作を一時中断し、物理アップリンク制御チャネルを通じて第１の論理チャネルに対応するスケジューリング・リクエストを伝送するものであるが、以下のステップを含む。
【０１１３】
ステップＳ２０７において、第１の論理チャネルの優先度が第２の論理チャネルの優先度より高いかどうかを判定する。
【０１１４】
ステップＳ２０８において、第１の論理チャネルの優先度が第２の論理チャネルの優先度より高い場合、アップリンク共有チャネルを通じた第２の論理チャネルに対応するデータ伝送を一時中断し、物理アップリンク制御チャネルを通じて第１の論理チャネルに対応するスケジューリング・リクエストを伝送する。
【０１１５】
１つの実施形態では、論理チャネルの優先度は、予め設定することができる。したがって、第１の論理チャネルに対応するスケジューリング・リクエストのための物理アップリンク制御チャネル伝送と、ユーザ機器によるアップリンク共有チャネルを通じた第２の論理チャネルに対応するデータ伝送との間の時間ドメイン内の重複があると判定したとき、第１の論理チャネルの優先度が第２の論理チャネルの優先度より高いかどうかをさらに判定することができる。第１の論理チャネルの優先度が第２の論理チャネルの優先度より高い場合、アップリンク共有チャネルを通じた第２の論理チャネルに対応するデータ伝送を一時中断し、物理アップリンク制御チャネルを通じて第１の論理チャネルに対応するスケジューリング・リクエストを伝送し、このことにより、優先度がより高い論理チャネルに対応するサービスに必要な低遅延を保証する。
【０１１６】
いくつかの実施形態では、第１の論理チャネルの優先度は、第１の論理チャネルに対応する第１のサービスに必要な遅延に反比例したものであり、第２の論理チャネルの優先度は、第２の論理チャネルに対応する第２のサービスに必要な遅延に反比例したものである。
【０１１７】
１つの実施形態では、論理チャネルの優先度は、論理チャネルに対応するサービスに必要な遅延に応じてセットしてもよい。例えば、第１の論理チャネルに対応する第１のサービスは、低遅延を必要とする超高信頼低遅延通信（ＵＲＬＬＣ：ｕｌｔｒａ−ｒｅｌｉａｂｌｅ  ＆  ｌｏｗ−ｄｅｌａｙ  ｃｏｍｍｕｎｉｃａｔｉｏｎ）サービスであり、第２の論理チャネルに対応する第２のサービスは、ＵＲＬＬＣサービスより高い遅延を必要とする拡張モバイルブロードバンド（ｅＭＢＢ：ｅｎｈａｎｃｅ  ｍｏｂｉｌｅ  ｂｒｏａｄｂａｎｄ）サービスである。したがって、ＵＲＬＬＣサービスに対応する第１の論理チャネルに、より高い優先度を設定し、ｅＭＢＢサービスに対応する第２の論理チャネルに低い優先度を設定することができる。したがって、第１の論理チャネルに対応するスケジューリング・リクエストのための物理アップリンク制御チャネル伝送と、アップリンク共有チャネルを通じた第２の論理チャネルに対応するデータ伝送との間の時間ドメイン内の重複があるとき、アップリンク共有チャネルを通じた第２の論理チャネルに対応するデータ伝送を一時中断することができ、物理アップリンク制御チャネルを通じて第１の論理チャネルに対応するスケジューリング・リクエストを伝送することができ、その結果、スケジューリング・リクエストによってリクエストされたアップリンク・リソースを可能な限り早く取得して、バッファ・ステータス・レポートを伝送することができ、これは、ＵＲＬＬＣサービスのデータを受信することからアップロードすることへの低遅延を保証することによってＵＲＬＬＣサービスのより低い遅延要件を満たす。
【０１１８】
図６は、本開示の１つの実施形態によるスケジューリング・リクエストを伝送する別の方法を示す概略流れ図である。図６に示したように、図４に示した実施形態に基づいて、ステップは、ユーザ機器による第１の論理チャネルに対応するスケジューリング・リクエストのための物理アップリンク制御チャネル伝送と、ユーザ機器によるアップリンク共有チャネルを通じた第２の論理チャネルに対応するデータ伝送との間の時間ドメイン内の重複があるかどうかを判定するものであるが、以下のステップを含む。
【０１１９】
ステップＳ１０１１において、事前設定した期間内の、および／または、第１の数の、第１の伝送機会の全てが、第２の数の第２の伝送機会と重複するかどうかを判定し、ここで、第１の伝送機会が、物理アップリンク制御チャネルを通じて第１の論理チャネルに対応するスケジューリング・リクエストを伝送するためのものであり、第２の伝送機会が、アップリンク共有チャネルを通じた第２の論理チャネルに対応するデータ伝送のためのものである。
【０１２０】
ステップＳ１０１２において、事前設定した期間内の、および／または、第１の数の、第１の伝送機会の全てが、第２の数の第２の伝送機会と重複する場合、ユーザ機器による第１の論理チャネルに対応するスケジューリング・リクエストのための物理アップリンク制御チャネル伝送と、ユーザ機器の他の動作との間の時間ドメイン内の重複があると判定する。
【０１２１】
１つの実施形態では、１つまたは複数の第１の伝送機会、および、１つまたは複数の第２の伝送機会があってもよい。したがって、第１の伝送機会が第２の伝送機会と部分的に重複する可能性、または、第１の伝送機会全てが第２の伝送機会と重複する可能性がある。
【０１２２】
第１の伝送機会の一部が第２の伝送機会と重複するとき、第１の伝送機会の中には、第２の伝送機会と重複しないものも依然としてあり、これらの第１の伝送機会において、物理アップリンク制御チャネルを通じてスケジューリング・リクエストを伝送することができる。したがって、この場合、アップリンク共有チャネルを通じた第２の論理チャネルに対応するデータ伝送を一時中断する必要はなく、これは、第１の論理チャネルに対応するサービスのより高い遅延を制限される程度まで犠牲にして、第２の論理チャネルに対応するサービスのための低遅延を保証することができる。
【０１２３】
第１の伝送機会全てが第２の伝送機会と重複するとき、物理アップリンク制御チャネルを通じてスケジューリング・リクエストを基地局にアップロードできることを保証するように、アップリンク共有チャネルを通じた第２の論理チャネルに対応するデータ伝送を一時中断することになり、物理アップリンク制御チャネルを通じて第１の論理チャネルに対応するスケジューリング・リクエストを伝送する。
【０１２４】
１つの実施形態では、物理アップリンク制御チャネルを通じて第１の論理チャネルに対応するスケジューリング・リクエストを伝送するための第１の伝送機会、および、アップリンク共有チャネルを通じた第２の論理チャネルに対応するデータ伝送のための第２の伝送機会について、事前設定した期間内の第１の伝送機会の全てが第２の伝送機会と重複するかどうか、第１の数の第１の伝送機会の全てが第２の伝送機会と重複するかどうか、および、事前設定した期間内の第１の数の第１の伝送機会の全てが第２の伝送機会と重複するかどうかを判定することができる。
【０１２５】
第１の伝送機会および第２の伝送機会は、基地局によって示すことができるということに留意されたい。例えば、基地局は、例えば、ＵＬグラントといった、アップリンク指示情報をユーザ機器に送信することによって第１の伝送機会を示すことができる。さらに、上述の、事前設定した期間、第１の数、および第２の数は、必要に応じて設定してもよく、例えば、基地局がユーザ機器に送信した構成情報を通じて設定してもよい。第１の数の第１の伝送機会は、第１の数の連続的な第１の伝送機会を意味することができ、第２の数の第２の伝送機会は、第２の数の連続的な第２の伝送機会を意味することができる。
【０１２６】
図７は、本開示の１つの実施形態によるスケジューリング・リクエストを伝送する別の方法を示す概略流れ図である。図７に示したように、図６に示した実施形態に基づいて、ステップは、他の動作を一時中断するものであるが、以下のステップを含む。
【０１２７】
ステップＳ２０９において、第１の事前設定条件を満たした第２の数の第２の伝送機会のうちの１つにおいて、媒体アクセス制御（ＭＡＣ）層を介して、物理アップリンク制御チャネルを通じて第１の論理チャネルに対応するスケジューリング・リクエストを伝送するように物理層に命令する。
【０１２８】
ステップＳ２１０において、第１の事前設定条件を満たした第２の数の第２の伝送機会のうちの１つにおいて、物理層を介して、物理アップリンク制御チャネルを通じて第１の論理チャネルに対応するスケジューリング・リクエストを伝送する。
【０１２９】
１つの実施形態では、第１の論理チャネルに対応するスケジューリング・リクエストのための物理アップリンク制御チャネル伝送と、アップリンク共有チャネルを通じた第２の論理チャネルに対応するデータ伝送との間の時間ドメイン内の重複があると判定すると、ユーザは、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に示すことができる。物理層は、媒体アクセス制御層からの命令に基づいて、第１の事前設定条件を満たした第２の数の第２の伝送機会のうちの１つにおいて、物理アップリンク制御チャネルを通じて第１の論理チャネルに対応するスケジューリング・リクエストを伝送することができる。
【０１３０】
上記のケースにおける媒体アクセス制御層は、第１の事前設定条件を満たした第２の数の第２の伝送機会のうちの１つにおいて、物理アップリンク制御チャネルを通じて第１の論理チャネルに対応するスケジューリング・リクエストを伝送するように物理層に命令すること、および、第２の伝送機会において、アップリンク共有チャネルを通じた第２の論理チャネルに対応するデータ伝送を実行するように物理層に命令することができるということに留意されたい。物理層は、実際の状況に応じて、第１の事前設定条件を満たした第２の数の第２の伝送機会のうちの１つにおいて、物理アップリンク制御チャネルを通じて第１の論理チャネルに対応するスケジューリング・リクエストを伝送すること、または、第２の伝送機会において、アップリンク共有チャネルを通じた第２の論理チャネルに対応するデータ伝送を実行することを決定することができる。
【０１３１】
図８は、本開示の１つの実施形態によるスケジューリング・リクエストを伝送する別の方法を示す概略流れ図である。図８に示したように、図６に示した実施形態に基づいて、ステップは、他の動作を一時中断し、物理アップリンク制御チャネルを通じて第１の論理チャネルに対応するスケジューリング・リクエストを伝送するものであるが、以下のステップを含む。
【０１３２】
ステップＳ２１１において、ステップは、第１の事前設定条件を満たした第２の数の第２の伝送機会のうちの１つにおいて、アップリンク共有チャネルを通じた第２の論理チャネルに対応するデータ伝送を実行するように物理層に命令する代わりに、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令することになる。
【０１３３】
１つの実施形態では、第１の論理チャネルに対応するスケジューリング・リクエストのための物理アップリンク制御チャネル伝送と、アップリンク共有チャネルを通じた第２の論理チャネルに対応するデータ伝送との間の時間ドメイン内の重複があると判定すると、ユーザは、第１の事前設定条件を満たした第２の数の第２の伝送機会のうちの１つにおいて、アップリンク共有チャネルを通じた第２の論理チャネルに対応するデータ伝送を実行するように物理層に命令する代わりに、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令することができる。
【０１３４】
この場合、第１の事前設定条件を満たした第２の数の第２の伝送機会のうちの１つにおいて、物理アップリンク制御チャネルを通じて第１の論理チャネルに対応するスケジューリング・リクエストを伝送するために、命令だけが、物理層によって媒体アクセス制御層から受信される。したがって、第１の論理チャネルに対応するスケジューリング・リクエストについての命令は、第１の事前設定条件を満たした第２の数の第２の伝送機会のうちの１つにおいて、物理アップリンク制御チャネルを通じて伝送することができる。
【０１３５】
いくつかの実施形態では、第１の事前設定条件を満たした第２の伝送機会のうちの１つは、
優先度が最低の第２の論理チャネルに対応する第２の伝送機会のうちの１つ、または
第１の伝送機会のうちの最も早い１つと時間ドメイン内で重複する第２の伝送機会のうちの１つ
を含む。
【０１３６】
１つの実施形態では、複数の第１の伝送機会が複数の第２の伝送機会と重複するとき、第１の論理チャネルに対応するスケジューリング・リクエストは、第１の事前設定条件を満たした複数の第２の伝送機会のうちの１つにおいて、物理アップリンク制御チャネルを通じて伝送することができる。
【０１３７】
例えば、物理アップリンク制御チャネルを通じて第１の論理チャネルに対応するスケジューリング・リクエストを伝送するために、優先度が最低の第２の論理チャネルに対応する第２の伝送機会を伝送機会として、第２の伝送機会の中から選択してもよい。第２の伝送機会は異なる論理チャネルのためのものであってもよく、したがって、異なる第２の伝送機会は、優先度が異なっていてもよいということに留意されたい。したがって、第２の伝送機会を占有することによって、物理アップリンク制御チャネルを通じて第１の論理チャネルに対応するスケジューリング・リクエストを伝送するとき、占有した第２の伝送機会は優先度が最低であるが、例えば、最高の遅延を許容できるので、占有した第２の伝送機会に対応する論理チャネルに対する干渉は比較的小さい。
【０１３８】
物理アップリンク制御チャネルを通じて第１の論理チャネルに対応するスケジューリング・リクエストを伝送するための伝送機会として、第１の伝送機会のうちの最も早い１つと時間ドメイン内で重複する第２の伝送機会を、第２の伝送機会の中から選択することもできる。したがって、第１の論理チャネルに対応するスケジューリング・リクエストは、第１の論理チャネルに対応するサービスに必要な低遅延を満たすことができることを保証するように、可能な限り早く物理アップリンク制御チャネルを通じて伝送することができる。
【０１３９】
図９は、本開示の１つの実施形態によるスケジューリング・リクエストを伝送する別の方法を示す概略流れ図である。図９に示したように、図７に示した実施形態に基づいて、ステップは、第１の事前設定条件を満たした第２の数の第２の伝送機会のうちの１つにおいて、物理層を介して、物理アップリンク制御チャネルを通じて第１の論理チャネルに対応するスケジューリング・リクエストを伝送するものであり、以下のステップを含む。
【０１４０】
ステップＳ２１０１において、重複があると判定すると、第２の伝送機会が第２の事前設定条件を満たしたかどうかを判定する。
【０１４１】
ステップＳ２１０２において、第２の伝送機会が第２の事前設定条件を満たした場合、第２の伝送機会において、物理層を介して、アップリンク共有チャネルを通じて第２の論理チャネルに対応するデータ伝送を実行する。
【０１４２】
ステップＳ２１０３において、物理層から媒体アクセス制御層に第１の通知情報を伝送する。第１の通知情報は、第２の伝送機会において、物理層を介して、アップリンク共有チャネルを通じて第２の論理チャネルに対応するデータ伝送を実行したことを媒体アクセス制御層に知らせる。
【０１４３】
１つの実施形態では、媒体アクセス制御層が、第１の事前設定条件を満たした第２の数の第２の伝送機会のうちの１つにおいて、物理アップリンク制御チャネルを通じて第１の論理チャネルに対応するスケジューリング・リクエストを伝送するように物理層に命令すると、また、第２の伝送機会において、アップリンク共有チャネルを通じた第２の論理チャネルに対応するデータ伝送を実行するように物理層に命令すると、物理層は、実際の状況に応じて、どの動作を実行するべきかを決定することができる。
【０１４４】
いくつかの実施形態では、第２の伝送機会が第２の事前設定条件を満たしたかどうか、例えば、第２の伝送機会の数が事前設定した数より少ないかどうかを判定することができる。第２の伝送機会が事前設定条件を満たしたとき、第１の事前設定条件を満たした第２の数の第２の伝送機会のうちの１つにおいて、物理アップリンク制御チャネルを通じて第１の論理チャネルに対応するスケジューリング・リクエストを伝送する代わりに、第２の伝送機会において、物理層を介して、アップリンク共有チャネルを通じて第２の論理チャネルに対応するデータ伝送を実行することになってもよい。さらに、第１の通知情報は、媒体アクセス制御層に送信することになり、これにより、媒体アクセス制御層は、物理層を介してどの動作を実行するか、およびしたがって、その後の命令を提供するかを決定することができる。
【０１４５】
いくつかの実施形態では、第２の事前設定条件は、第２の伝送機会の数が１に等しいことである。
【０１４６】
１つの実施形態では、第２の伝送機会の数が１に等しいとき、第２の伝送機会に対応する第２の論理チャネルのデータは、第２の伝送機会において、物理アップリンク制御チャネルを通じて第１の論理チャネルに対応するスケジューリング・リクエストを伝送する場合、アップロードすることができず、このことは、第２の論理チャネルのサービスに深刻な影響を及ぼす。したがって、この場合、第２の伝送機会は、物理アップリンク制御チャネルを通じて第１の論理チャネルに対応するスケジューリング・リクエストを伝送する代わりに、アップリンク共有チャネルを通じた第２の論理チャネルに対応するデータ伝送を実行するために利用することができ、このことは、第２の論理チャネルのデータを成功裏にアップロードできることを保証する。
【０１４７】
いくつかの実施形態では、方法は、さらに以下のステップを含む。
【０１４８】
ユーザ機器による第１の論理チャネルに対応するスケジューリング・リクエストのための物理アップリンク制御チャネル伝送と、ユーザ機器によるアップリンク共有チャネルを通じた第２の論理チャネルに対応するデータ伝送との間の時間ドメイン内の重複があるかどうかを判定する前に、基地局によって送信された第３の構成情報を受信し、第３の構成情報に基づいて第２の論理チャネルを決定する。
【０１４９】
１つの実施形態では、第３の構成情報は、基地局からユーザ機器に送信し、第２の論理チャネルが、事前設定した論理チャネルであるときだけ、物理アップリンク制御チャネルを通じて第１の論理チャネルに対応するスケジューリング・リクエストを伝送すること、さらに他の動作との時間ドメイン内の重複があるとき、他の動作を一時中断し、物理アップリンク制御チャネルを通じて第１の論理チャネルに対応するスケジューリング・リクエストを伝送すること、および、第２の論理チャネルが、事前設定した論理チャネルではない場合、他の動作を実行することをユーザ機器に示すことができる。
【０１５０】
図１０は、本開示の１つの実施形態によるスケジューリング・リクエストを伝送する別の方法を示す概略流れ図である。図１０に示したように、図１に示した実施形態に基づいて、ステップは、ユーザ機器による第１の論理チャネルに対応するスケジューリング・リクエストのための物理アップリンク制御チャネル伝送と、ユーザ機器の他の動作との間の時間ドメイン内の重複があるかどうかを判定するものであるが、以下のステップを含む。
【０１５１】
ステップＳ１０２において、ユーザ機器による第１の論理チャネルに対応するスケジューリング・リクエストのための物理アップリンク制御チャネル伝送と、ユーザ機器によって測定ギャップ中に現在のセル以外の他のセルの周波数を監視することとの間の時間ドメイン内の重複があるかどうかを判定する。例えば、測定ギャップは、ユーザ機器によって他のセルの周波数を常に監視する継続期間である。
【０１５２】
１つの実施形態では、他の動作が、測定ギャップ中に現在のセル以外の他のセルの周波数をユーザ機器が監視することであるとき、ユーザ機器による第１の論理チャネルに対応するスケジューリング・リクエストのための物理アップリンク制御チャネル伝送と、ユーザ機器によって測定ギャップ中に現在のセル以外の他のセルの周波数を監視することとの間の時間ドメイン内の重複があるかどうかを判定することができる。
【０１５３】
図１１は、本開示の１つの実施形態によるスケジューリング・リクエストを伝送する別の方法を示す概略流れ図である。図１１に示したように、図１０に示した実施形態に基づいて、ステップは、他の動作を一時中断し、物理アップリンク制御チャネルを通じて第１の論理チャネルに対応するスケジューリング・リクエストを伝送するものであるが、以下のステップを含む。
【０１５４】
ステップＳ２１２において、測定ギャップ中に現在のセル以外の他のセルの周波数を監視することを一時中断し、物理アップリンク制御チャネルを通じて第１の論理チャネルに対応するスケジューリング・リクエストを伝送する。
【０１５５】
１つの実施形態では、他の動作が、測定ギャップ中に現在のセル以外の他のセルの周波数を監視することであるとき、測定ギャップについて、第１の論理チャネルに対応するスケジューリング・リクエストのための物理アップリンク制御チャネル伝送と、ユーザ機器によって測定ギャップ中に現在のセル以外の他のセルの周波数を監視することとの間の時間ドメイン内の重複がある場合、測定ギャップ中に現在のセル以外の他のセルの周波数を監視することを一時中断することができ、物理アップリンク制御チャネルを通じて第１の論理チャネルに対応するスケジューリング・リクエストを伝送することができる。
【０１５６】
図１２は、本開示の１つの実施形態によるスケジューリング・リクエストを伝送する別の方法を示す概略流れ図である。図１２に示したように、図１０に示した実施形態に基づいて、ステップは、ユーザ機器による第１の論理チャネルに対応するスケジューリング・リクエストのための物理アップリンク制御チャネル伝送と、ユーザ機器によって測定ギャップ中に現在のセル以外の他のセルの周波数を監視することとの間の時間ドメイン内の重複があるかどうかを判定するものであるが、以下のステップを含む。
【０１５７】
ステップＳ１０２１において、事前設定した期間内の、および／または、第１の数の、第１の伝送機会の全てが、第３の数の測定ギャップと重複するかどうかを判定し、ここで、第１の伝送機会は、物理アップリンク制御チャネルを通じて第１の論理チャネルに対応するスケジューリング・リクエストを伝送するためのものである。
【０１５８】
ステップＳ１０２２において、事前設定した期間内の、および／または、第１の数の、第１の伝送機会の全てが、第３の数の測定ギャップと重複する場合、ユーザ機器による第１の論理チャネルに対応するスケジューリング・リクエストのための物理アップリンク制御チャネル伝送と、ユーザ機器の他の動作との間の時間ドメイン内の重複があると判定する。
【０１５９】
１つの実施形態では、１つまたは複数の第１の伝送機会、および１つまたは複数の測定ギャップがあってもよい。したがって、第１の伝送機会が測定ギャップと部分的に重複する、または、第１の伝送機会全てが測定ギャップと重複する可能性がある。
【０１６０】
第１の伝送機会の一部が測定ギャップと重複するとき、第１の伝送機会の中には、測定ギャップと重複しないものも依然としてあり、これらの第１の伝送機会において、物理アップリンク制御チャネルを通じてスケジューリング・リクエストを伝送することができる。したがって、この場合、測定ギャップ中に他のセルの周波数を監視することを一時中断する必要はなく、このことは、第１の論理チャネルに対応するサービスのより高い遅延を制限される程度まで犠牲にして、他のセルの周波数を監視する動作の低遅延を保証することができる。
【０１６１】
第１の伝送機会の全てが測定ギャップと重複するとき、物理アップリンク制御チャネルを通じてスケジューリング・リクエストを基地局にアップロードできることを保証するように、測定ギャップ中に他のセルの周波数を監視することを一時中断することになり、物理アップリンク制御チャネルを通じて第１の論理チャネルに対応するスケジューリング・リクエストを伝送する。
【０１６２】
１つの実施形態では、物理アップリンク制御チャネルを通じて第１の論理チャネルに対応するスケジューリング・リクエストを伝送するための第１の伝送機会について、事前設定した期間内の第１の伝送機会の全てが、アップリンク共有チャネルを通じた第２の論理チャネルに対応するデータ伝送のための第２の伝送機会と重複するかどうか、第１の数の第１の伝送機会の全てが、第３の数の測定ギャップと重複するかどうか、および、事前設定した期間内の第１の数の第１の伝送機会の全てが、第３の数の測定ギャップと重複するかどうかを判定することができる。
【０１６３】
上述の、事前設定した期間、第１の数、および第３の数は、必要に応じて設定してもよいということに留意されたい。
【０１６４】
図１３は、本開示の１つの実施形態によるスケジューリング・リクエストを伝送する別の方法を示す概略流れ図である。図１３に示したように、図１２に示した実施形態に基づいて、ステップは、他の動作を一時中断するものであるが、以下のステップを含む。
【０１６５】
ステップＳ２１３において、第３の事前設定条件を満たした第３の数の測定ギャップのうちの１つの中で、媒体アクセス制御層を介して、物理アップリンク制御チャネルを通じて第１の論理チャネルに対応するスケジューリング・リクエストを伝送するように物理層に命令する。
【０１６６】
ステップＳ２１４において、第３の事前設定条件を満たした第３の数の測定ギャップのうちの１つの中で、物理層を介して、物理アップリンク制御チャネルを通じて第１の論理チャネルに対応するスケジューリング・リクエストを伝送する。
【０１６７】
１つの実施形態では、第１の論理チャネルに対応するスケジューリング・リクエストのための物理アップリンク制御チャネル伝送と、測定ギャップとの間の時間ドメイン内の重複があると判定すると、ユーザは、第３の事前設定条件を満たした第３の数の測定ギャップのうちの１つの中で、媒体アクセス制御層を介して、物理アップリンク制御チャネルを通じて第１の論理チャネルに対応するスケジューリング・リクエストを伝送するように物理層に示すことができる。物理層は、媒体アクセス制御層からの命令に基づいて、第３の事前設定条件を満たした第３の数の測定ギャップのうちの１つの中で、物理アップリンク制御チャネルを通じて第１の論理チャネルに対応するスケジューリング・リクエストを伝送することができる。
【０１６８】
媒体アクセス制御層は、上記のケースでは、第３の事前設定条件を満たした第３の数の測定ギャップのうちの１つの中で、物理アップリンク制御チャネルを通じて第１の論理チャネルに対応するスケジューリング・リクエストを伝送するように物理層に命令すること、および、測定ギャップ中に他のセルの周波数を監視するように物理層に命令することができるということに留意されたい。物理層は、第３の事前設定条件を満たした第３の数の測定ギャップのうちの１つの中で、物理アップリンク制御チャネルを通じて第１の論理チャネルに対応するスケジューリング・リクエストを伝送すること、または、測定ギャップ中に他のセルの周波数を監視することを決定することができる。
【０１６９】
いくつかの実施形態では、第３の事前設定条件を満たす測定ギャップは、第１の伝送機会のうちの最も早い１つと時間ドメイン内で重複する測定ギャップのうちの１つである。
【０１７０】
１つの実施形態では、複数の第１の伝送機会が、複数の測定ギャップと重複するとき、第３の事前設定条件を満たした測定ギャップ中に、物理アップリンク制御チャネルを通じて第１の論理チャネルに対応するスケジューリング・リクエストを伝送することができる。
【０１７１】
例えば、物理アップリンク制御チャネルを通じて第１の論理チャネルに対応するスケジューリング・リクエストを伝送するための伝送機会として、第１の伝送機会のうちの最も早い１つと時間ドメイン内で重複する測定ギャップのうちの１つを選択してもよい。したがって、第１の論理チャネルに対応するサービスに必要な低遅延を満たせることを保証するように、可能な限り早く、物理アップリンク制御チャネルを通じて第１の論理チャネルに対応するスケジューリング・リクエストを伝送することができる。
【０１７２】
図１４は、本開示の１つの実施形態によるスケジューリング・リクエストを伝送する別の方法を示す概略流れ図である。図１４に示したように、図１３に示した実施形態に基づいて、ステップは、第３の事前設定条件を満たした第３の数の測定ギャップのうちの１つの中で、物理層を介して、物理アップリンク制御チャネルを通じて第１の論理チャネルに対応するスケジューリング・リクエストを伝送するものであるが、以下のステップを含む。
【０１７３】
ステップＳ２１４１において、重複があると判定すると、測定ギャップが第４の事前設定条件を満たしたかどうかを判定する。
【０１７４】
ステップＳ２１４２において、測定ギャップが第４の事前設定条件を満たした場合、物理層を介して、測定ギャップ中に現在のセル以外の他のセルの周波数を監視する。
【０１７５】
ステップＳ２１４３において、物理層を介して、測定ギャップ中に現在のセル以外の他のセルの周波数を監視したことを媒体アクセス制御層に知らせるために、物理層から媒体アクセス制御層に第２の通知情報を伝送する。
【０１７６】
１つの実施形態では、媒体アクセス制御層が、第３の事前設定条件を満たした第３の数の測定ギャップのうちの１つの中で、物理アップリンク制御チャネルを通じて第１の論理チャネルに対応するスケジューリング・リクエストを伝送するように物理層に命令すると、また、測定ギャップ中に他のセルの周波数を監視するように物理層に命令すると、物理層は、実際の状況に応じて、どの動作を実行するべきかを決定することができる。
【０１７７】
いくつかの実施形態では、測定ギャップが第３の事前設定条件を満たしたかどうか、例えば、測定ギャップの数が、事前設定した数より小さいかどうかを判定することができる。測定ギャップが事前設定条件を満たすと、第３の事前設定条件を満たした測定ギャップのうちの１つの中で、物理アップリンク制御チャネルを通じて第１の論理チャネルに対応するスケジューリング・リクエストを伝送する代わりに、物理層を介して、測定ギャップ中に他のセルの周波数を監視することができる。さらに、物理層を介してどの動作を実行するかを媒体アクセス制御層が判定し、したがって、その後の命令を提供できるように、媒体アクセス制御層に第２の通知情報を伝送することになる。
【０１７８】
いくつかの実施形態では、第４の事前設定条件は、測定ギャップの数が１であることである。
【０１７９】
１つの実施形態では、測定ギャップの数が１に等しいとき、測定ギャップ中に物理アップリンク制御チャネルを通じて第１の論理チャネルに対応するスケジューリング・リクエストを伝送する場合、他のセルの周波数をユーザ機器が監視するための測定ギャップが提供されず、このことは、例えば、ユーザ機器がセル間でスイッチする動作に深刻に影響を及ぼす。したがって、この場合、物理アップリンク制御チャネルを通じて第１の論理チャネルに対応するスケジューリング・リクエストを伝送する代わりに、現在のセル以外の他のセルの周波数を監視するために測定ギャップを利用することができ、このことは、ユーザ機器が他のセルの周波数を成功裏に監視できることを保証する。
【０１８０】
図１５は、本開示の１つの実施形態によるスケジューリング・リクエストを伝送する別の方法を示す概略流れ図である。図１５に示したように、図１１に示した実施形態に基づいて、ステップは、物理アップリンク制御チャネルを通じて第１の論理チャネルに対応するスケジューリング・リクエストを伝送するものであるが、以下のステップを含む。
【０１８１】
ステップＳ２１５において、他のセルの周波数を監視することから、現在のセルの周波数を監視することにユーザ機器がスイッチした瞬間を判定する。
【０１８２】
ステップＳ２１６において、この瞬間の直後にスケジューリング・リクエストを伝送することができる伝送機会において、物理アップリンク制御チャネルを通じて第１の論理チャネルに対応するスケジューリング・リクエストを伝送する。
【０１８３】
１つの実施形態では、ユーザ機器が他のセルの周波数を監視しているとき、現在のセルの周波数にスイッチして戻るのには時間がかかる。したがって、他のセルの周波数を監視することから現在のセルの周波数を監視することにユーザ機器がスイッチして戻る瞬間を最初に判定することができ、その後、第１の論理チャネルに対応するスケジューリング・リクエストを伝送するために、この瞬間の直後の伝送機会を選択することができる。このことにより、選択した伝送機会は、ユーザ機器が現在のセルの周波数にスイッチして戻った瞬間の後になり、これにより、選択した伝送機会が利用可能であることを保証する。
【０１８４】
スケジューリング・リクエストを伝送する方法の前述の実施形態に対応して、本開示は、スケジューリング・リクエストを伝送するための装置の実施形態をさらに提供する。
【０１８５】
図１６は、本開示の１つの実施形態によるスケジューリング・リクエストを伝送するための装置を示す概略ブロック図である。本実施形態で示したスケジューリング・リクエストを伝送する装置は、携帯電話、タブレット型コンピュータ、等などのユーザ機器に適用できる。ユーザは、ＬＴＥ通信またはＮＲ通信を適用することができる。
【０１８６】
図１６に示したように、スケジューリング・リクエストを伝送する装置は、以下のモジュールを含む。
【０１８７】
重複判定モジュール１は、ユーザ機器の第１の論理チャネルに対応するスケジューリング・リクエストのための物理アップリンク制御チャネル伝送と、ユーザ機器の他の動作との間の時間ドメイン内の重複があるかどうかを判定するように構成される。
【０１８８】
動作実行モジュール２は、重複があると判定した場合、他の動作を一時中断し、物理アップリンク制御チャネルを通じて第１の論理チャネルに対応するスケジューリング・リクエストを伝送するように構成される。
【０１８９】
図１７は、本開示の１つの実施形態によるスケジューリング・リクエストを伝送するための別の装置を示す概略ブロック図である。図１７に示したように、図１６に示した実施形態に基づいて、装置は、以下のモジュールをさらに含む。
【０１９０】
第１の受信モジュール３は、基地局によって送信された第１の構成情報を受信するように構成される。第１の構成情報は、事前設定した論理チャネルを示す。
【０１９１】
したがって、動作実行モジュール２は、以下のサブモジュールを含む。
【０１９２】
第１の判定サブモジュール２０１は、重複があると判定した場合、第１の論理チャネルが、事前設定した論理チャネルであるかどうかを判定するように構成される。
【０１９３】
第１の実行サブモジュール２０２は、第１の論理チャネルが、事前設定した論理チャネルである場合、他の動作を一時中断し、物理アップリンク制御チャネルを通じて第１の論理チャネルに対応するスケジューリング・リクエストを伝送すること、および、第１の論理チャネルが、事前設定した論理チャネルでない場合、他の動作を実行することを行うように構成される。
【０１９４】
図１８は、本開示の１つの実施形態によるスケジューリング・リクエストを伝送するための別の装置を示す概略ブロック図である。図１８に示したように、図１６に示した実施形態に基づいて、装置は、以下のモジュールをさらに含む。
【０１９５】
第２の受信モジュール４は、基地局によって送信された第２の構成情報を受信するように構成される。第２の構成情報は、事前設定した機能でユーザ機器が構成されたかどうかを示す。
【０１９６】
したがって、動作実行モジュール２は、以下のサブモジュールを含む。
【０１９７】
第２の判定サブモジュール２０３は、重複があると判定した場合、事前設定した機能でユーザ機器が構成されたかどうかを判定するように構成される。
【０１９８】
第２の実行サブモジュール２０４は、ユーザ機器が、事前設定した機能で構成された場合、他の動作を一時中断し、物理アップリンク制御チャネルを通じて第１の論理チャネルに対応するスケジューリング・リクエストを伝送すること、および、ユーザ機器が、事前設定した機能で構成されなかった場合、他の動作を実行することを行うように構成される。
【０１９９】
いくつかの実施形態では、他の動作は、
ユーザ機器によってアップリンク共有チャネルを通じて実行された、第２の論理チャネルに対応するデータ伝送、および／または
ユーザ機器によって測定ギャップ中に現在のセル以外の他のセルの周波数を監視すること
を含む。例えば、測定ギャップは、ユーザ機器によって他のセルの周波数を常に監視する継続期間である。
【０２００】
いくつかの実施形態では、重複判定モジュールは、ユーザ機器の第１の論理チャネルに対応するスケジューリング・リクエストのための物理アップリンク制御チャネル伝送と、ユーザ機器によってアップリンク共有チャネルを通じて実行された、第２の論理チャネルに対応するデータ伝送との間の時間ドメイン内の重複があるかどうかを判定するように構成される。
【０２０１】
図１９は、本開示の１つの実施形態による動作実行モジュールを示す概略ブロック図である。図１９に示したように、動作実行モジュール２は、以下のサブモジュールを含む。
【０２０２】
優先度サブモジュール２０５は、第１の論理チャネルの優先度が第２の論理チャネルの優先度より高いかどうかを判定するように構成される。
【０２０３】
第３の実行サブモジュール２０６は、第１の論理チャネルの優先度が第２の論理チャネルの優先度より高い場合、アップリンク共有チャネルを通じた第２の論理チャネルに対応するデータ伝送を一時中断し、物理アップリンク制御チャネルを通じて第１の論理チャネルに対応するスケジューリング・リクエストを伝送するように構成される。
【０２０４】
いくつかの実施形態では、第１の論理チャネルの優先度は、第１の論理チャネルに対応する第１のサービスに必要な遅延に反比例したものであり、第２の論理チャネルの優先度は、第２の論理チャネルに対応する第２のサービスに必要な遅延に反比例したものである。
【０２０５】
いくつかの実施形態では、重複判定モジュールは、事前設定した期間内の、および／または、第１の数の、第１の伝送機会の全てが、第２の数の第２の伝送機会と重複するかどうかを判定するように構成され、ここで、第１の伝送機会が、物理アップリンク制御チャネルを通じて第１の論理チャネルに対応するスケジューリング・リクエストを伝送するためのものであり、第２の伝送機会が、アップリンク共有チャネルを通じた第２の論理チャネルに対応するデータ伝送のためのものである。
【０２０６】
重複判定モジュールは、事前設定した期間内の、および／または、第１の数の、第１の伝送機会の全てが、第２の数の第２の伝送機会と重複する場合、ユーザ機器の第１の論理チャネルに対応するスケジューリング・リクエストのための物理アップリンク制御チャネル伝送と、ユーザ機器の他の動作との間の時間ドメイン内の重複があると判定するようにさらに構成される。
【０２０７】
いくつかの実施形態では、第３の実行サブモジュールは、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令するように構成される。したがって、第１の論理チャネルに対応するスケジューリング・リクエストは、第１の事前設定条件を満たした第２の数の第２の伝送機会のうちの１つにおいて、物理層を介して、物理アップリンク制御チャネルを通じて伝送される。
【０２０８】
いくつかの実施形態では、第３の実行サブモジュールは、第１の事前設定条件を満たした第２の数の第２の伝送機会のうちの１つにおいて、アップリンク共有チャネルを通じた第２の論理チャネルに対応するデータ伝送を実行するように物理層に命令する代わりに、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令するように構成される。
【０２０９】
いくつかの実施形態では、第１の事前設定条件を満たした第２の伝送機会のうちの１つは、
優先度が最低の第２の論理チャネルに対応する第２の伝送機会のうちの１つ、または
第１の伝送機会のうちの最も早い１つと時間ドメイン内で重複する第２の伝送機会のうちの１つ
を含む。
【０２１０】
図２０は、本開示の１つの実施形態によるスケジューリング・リクエストを伝送するための別の装置を示す概略ブロック図である。図２０に示したように、装置は、以下のモジュールをさらに含む。
【０２１１】
第１の条件判定モジュール５は、重複があると判定した場合、第２の伝送機会が、第２の事前設定条件を満たしたかどうかを判定するように構成される。
【０２１２】
したがって、動作実行モジュール２は、第２の伝送機会が、第２の事前設定条件を満たした場合、第２の伝送機会において、物理層を介して、アップリンク共有チャネルを通じて第２の論理チャネルに対応するデータ伝送を実行するようにさらに構成される。
【０２１３】
第１の通知伝送モジュール６は、物理層を介して、媒体アクセス制御層に第１の通知情報を伝送するように構成される。第１の通知情報は、第２の伝送機会において、物理層を介して、アップリンク共有チャネルを通じて第２の論理チャネルに対応するデータ伝送を実行したことを媒体アクセス制御層に知らせる。
【０２１４】
いくつかの実施形態では、第２の事前設定条件は、第２の伝送機会の数が１に等しいことである。
【０２１５】
図２１は、本開示の１つの実施形態によるスケジューリング・リクエストを伝送するための別の装置を示す概略ブロック図である。図２１に示したように、装置は、以下のモジュールをさらに含む。
【０２１６】
第３の受信モジュール７は、基地局によって送信された第３の構成情報を受信し、第３の構成情報に基づいて第２の論理チャネルを決定するように構成される。
【０２１７】
いくつかの実施形態では、重複判定モジュールは、ユーザ機器の第１の論理チャネルに対応するスケジューリング・リクエストのための物理アップリンク制御チャネル伝送と、ユーザ機器によって測定ギャップ中に現在のセル以外の他のセルの周波数を監視することとの間の時間ドメイン内の重複があるかどうかを判定するように構成される。例えば、測定ギャップは、ユーザ機器によって他のセルの周波数を常に監視する継続期間である。
【０２１８】
いくつかの実施形態では、動作実行モジュールは、測定ギャップ中に現在のセル以外の他のセルの周波数を監視することを一時中断し、物理アップリンク制御チャネルを通じて第１の論理チャネルに対応するスケジューリング・リクエストを伝送するように構成される。
【０２１９】
いくつかの実施形態では、重複判定モジュールは、事前設定した期間内の、および／または、第１の数の、第１の伝送機会の全てが、第３の数の測定ギャップと重複するかどうかを判定するように構成され、ここで、第１の伝送機会は、物理アップリンク制御チャネルを通じて第１の論理チャネルに対応するスケジューリング・リクエストを伝送するためのものである。
【０２２０】
重複判定モジュールは、事前設定した期間内の、および／または、第１の数の、第１の伝送機会の全てが、第３の数の測定ギャップと重複する場合、ユーザ機器の第１の論理チャネルに対応するスケジューリング・リクエストのための物理アップリンク制御チャネル伝送と、ユーザ機器の他の動作との間の時間ドメイン内の重複があると判定するようにさらに構成される。
【０２２１】
いくつかの実施形態では、動作実行モジュールは、第３の事前設定条件を満たした第３の数の測定ギャップのうちの１つにおいて、媒体アクセス制御層を介して、物理アップリンク制御チャネルを通じて第１の論理チャネルに対応するスケジューリング・リクエストを伝送するように物理層に命令するように構成される。
【０２２２】
したがって、第１の論理チャネルに対応するスケジューリング・リクエストは、第３の事前設定条件を満たした第３の数の測定ギャップのうちの１つの中で、物理層を介して、物理アップリンク制御チャネルを通じて伝送される。
【０２２３】
いくつかの実施形態では、第３の事前設定条件を満たす測定ギャップは、第１の伝送機会のうちの最も早い１つと時間ドメイン内で重複する測定ギャップのうちの１つである。
【０２２４】
図２２は、本開示の１つの実施形態によるスケジューリング・リクエストを伝送するための別の装置を示す概略ブロック図である。図２２に示したように、装置は、以下のモジュールをさらに含む。
【０２２５】
第２の条件判定モジュール８は、重複があると判定すると、測定ギャップが第４の事前設定条件を満たしたかどうかを判定するように構成する。
【０２２６】
したがって、動作実行モジュールは、測定ギャップが第４の事前設定条件を満たした場合、物理層を介して、測定ギャップ中に現在のセル以外の他のセルの周波数を監視するようにさらに構成される。
【０２２７】
第２の通知伝送モジュール９は、物理層を介して、媒体アクセス制御層に第２の通知情報を伝送するように構成される。第２の通知情報は、物理層を介して、測定ギャップ中に現在のセル以外の他のセルの周波数を監視したことを媒体アクセス制御層に知らせる。
【０２２８】
いくつかの実施形態では、第４の事前設定条件は、測定ギャップの数が１であることである。
【０２２９】
図２３は、本開示の１つの実施形態によるスケジューリング・リクエストを伝送するための別の装置を示す概略ブロック図である。図２３に示したように、動作実行モジュールは、以下のサブモジュールを含む。
【０２３０】
瞬間判定サブモジュール１０は、他のセルの周波数を監視することから、現在のセルの周波数を監視することにユーザ機器がスイッチした瞬間を判定するように構成される。
【０２３１】
例えば、動作実行モジュール２は、この瞬間の直後にスケジューリング・リクエストを伝送することができる伝送機会において、物理アップリンク制御チャネルを通じて第１の論理チャネルに対応するスケジューリング・リクエストを伝送するように構成される。
【０２３２】
上記の実施形態における装置について、各モジュールがモジュールの動作を実行する特定の手法を、関連方法の実施形態で詳細に説明してきたが、ここでは繰り返さない。
【０２３３】
装置の実施形態は、方法の実施形態に対応するので、方法の実施形態の関連部分の説明を参照することができる。上述の装置の実施形態は例証的なものにすぎず、別個の構成要素として説明したモジュールは、物理的に分離していても、分離していなくてもよく、モジュールとして表示した構成要素は、物理的なユニットであっても、そうでなくてもよく、すなわち、１つの場所にあってもよく、ネットワーク内の複数のユニットに分散していてもよい。モジュールのいくつかまたは全ては、実施形態の実現の目的を達成するための実際の必要性に応じて選択することができる。これは、いずれの創造的な努力もなく、当業者によって理解され、実現されよう。
【０２３４】
本開示の１つの実施形態は、電子デバイスをさらに提供し、ユーザ機器に適用され、
プロセッサと、
プロセッサによって実行可能な命令を記憶するためのメモリと
を含み、プロセッサは、
ユーザ機器の第１の論理チャネルに対応するスケジューリング・リクエストのための物理アップリンク制御チャネル伝送と、ユーザ機器の他の動作との間の時間ドメイン内の重複があるかどうかを判定すること、および
重複があることに応答して、物理アップリンク制御チャネルを通じて第１の論理チャネルに対応するスケジューリング・リクエストを伝送し、他の動作を一時中断すること
を行うように構成される。
【０２３５】
本開示の１つの実施形態は、コンピュータ・プログラムを記憶するコンピュータ可読記憶媒体をさらに提供し、ユーザ機器に適用され、プロセッサによってプログラムが実行されると、
ユーザ機器の第１の論理チャネルに対応するスケジューリング・リクエストのための物理アップリンク制御チャネル伝送と、ユーザ機器の他の動作との間の時間ドメイン内の重複があるかどうかを判定することと、
重複があることに応答して、物理アップリンク制御チャネルを通じて第１の論理チャネルに対応するスケジューリング・リクエストを伝送し、他の動作を一時中断することと
を行うステップをプロセッサが実現する。
【０２３６】
図２４は、例示的な実施形態によるスケジューリング・リクエストを伝送することに適用できるデバイス２４００を示す概略ブロック図である。例えば、デバイス２４００は、携帯電話、コンピュータ、デジタル・ブロードキャスト端末、メッセージング・デバイス、ゲーム機、タブレット・デバイス、医療デバイス、フィットネス・デバイス、パーソナル・デジタル・アシスタント、などであってもよい。
【０２３７】
図２４に示したように、デバイス２４００は、処理構成要素２４０２、メモリ２４０４、電源構成要素２４０６、マルチメディア構成要素２４０８、オーディオ構成要素２４１０、入出力（Ｉ／Ｏ：ｉｎｐｕｔ／ｏｕｔｐｕｔ）インターフェース２４１２、センサ構成要素２４１４、および通信構成要素２４１６といった構成要素の１つまたは複数を含むことができる。
【０２３８】
処理構成要素２４０２は、表示、通話、データ通信、カメラ動作、および記録動作に関連のある動作など、デバイス２４００の全体的な動作を全体的に制御する。処理要素２４０２は、命令を実行して、上記の方法のステップの全てまたは一部を完了させるための、１つまたは複数のプロセッサ２４２０を含むことができる。さらに、処理構成要素２４０２は、処理構成要素２４０２と他の構成要素との間の対話を容易にする１つまたは複数のモジュールを含むことができる。例えば、処理構成要素２４０２は、マルチメディア構成要素２４０８と処理構成要素２４０２との間の対話を容易にするためのマルチメディア・モジュールを含むことができる。
【０２３９】
メモリ２４０４は、デバイス２４００の動作をサポートするための様々なタイプのデータを記憶するように構成される。このようなデータの例は、デバイス２４００上で動作する任意のアプリケーションまたは方法のための命令、連絡先データ、電話帳データ、メッセージ、画像、ビデオ、などを含む。メモリ２４０４は、スタティック・ランダム・アクセス・メモリ（ＳＲＡＭ）、電気的消去可能プログラマブル・リード・オンリ・メモリ（ＥＥＰＲＯＭ）、消去可能プログラマブル・リード・オンリ・メモリ（ＥＰＲＯＭ）、プログラマブル・リード・オンリ・メモリ（ＰＲＯＭ）、リード・オンリ・メモリ（ＲＯＭ）、磁気メモリ、フラッシュ・メモリ、磁気ディスクもしくはコンパクトディスクなど、任意のタイプの揮発性もしくは不揮発性の記憶デバイス、または、これらの組合せによって実現することができる。
【０２４０】
電源構成要素２４０６は、デバイス２４００の種々の構成要素に電力を供給する。電源構成要素２４０６は、電源管理システム、１つまたは複数の電源、ならびに、デバイス２４００のための電力の生成、管理、および配布に関連のある他の構成要素を含むことができる。
【０２４１】
マルチメディア構成要素２４０８は、デバイス２４００とユーザとの間の出力インターフェースを提供する画面を含む。いくつかの実施形態では、画面は、液晶ディスプレイ（ＬＣＤ）およびタッチパネル（ＴＰ：Ｔｏｕｃｈ  Ｐａｎｅｌ）を含むことができる。画面がＴＰを含む場合、画面は、ユーザからの入力信号を受信するためのタッチ・スクリーンとして実現することができる。ＴＰは、タッチ、スワイプ、およびジェスチャをＴＰ上で検知するための、１つまたは複数のタッチセンサを含むことができる。タッチセンサは、タッチまたはスワイプの境界を検知するだけでなく、タッチまたはスワイプに関連付けられた継続時間および圧力も検知することができる。いくつかの実施形態では、マルチメディア構成要素２４０８は、前部カメラおよび／または後部カメラを含むことができる。前部カメラおよび／または後部カメラは、写真モードまたはビデオ・モードなど、デバイス２４００が動作モードにあるときに外部マルチメディア・データを受信することができる。各前部カメラおよび後部カメラは、固定式光学レンズ・システムであってもよく、または、焦点距離および光学ズーム能力を有していてもよい。
【０２４２】
オーディオ構成要素２４１０は、オーディオ信号を出力および／または入力するように構成される。例えば、オーディオ構成要素２４１０は、マイクロフォン（ＭＩＣ）を含む。コールモード、記録モード、および音声認識モードなどの動作モードにデバイス２４００があるとき、マイクロフォンは、外部オーディオ信号を受信するように構成される。受信したオーディオ信号は、メモリ２４０４にさらに記憶しても、通信構成要素２４１６を介して送信してもよい。いくつかの実施形態では、オーディオ構成要素２４１０は、オーディオ信号を出力するためのスピーカをさらに含む。
【０２４３】
Ｉ／Ｏインターフェース２４１２は、処理構成要素２４０２と周辺インターフェース・モジュールとの間のインターフェースを提供する。上記の周辺インターフェース・モジュールは、キーボード、クリックホイール、ボタン、または同様のものであってもよい。これらのボタンは、ホーム・ボタン、ボリューム・ボタン、スタート・ボタン、およびロック・ボタンを含むことができるがこれらに限定されない。
【０２４４】
センサ構成要素２４１４は、デバイス２４００の様々な態様のステータス評価を提供するための１つまたは複数のセンサを含む。例えば、センサ構成要素２４１４は、デバイス２４００のオープン／クローズ状態、ならびに、デバイス２４００のディスプレイおよびキーパッドなどの構成要素の相対位置を検出することができ、センサ構成要素２４１４は、デバイス２４００またはデバイス２４００の構成要素の位置の変化、デバイス２４００とのユーザ接触の有無、デバイス２４００の方向または加速／減速、および、デバイス２４００の温度変化をさらに検出することができる。センサ構成要素２４１４は、物理的な接触が何もなくても、近くのオブジェクトの存在を検出するように構成された近接センサを含むことができる。センサ構成要素２４１４は、画像アプリケーションで使用するための、相補型金属酸化膜半導体（ＣＭＯＳ）または電荷結合素子（ＣＣＤ）画像センサなどの、光センサをさらに含むことができる。いくつかの実施形態では、センサ構成要素２４１４は、加速度センサ、ジャイロスコープ・センサ、磁気センサ、圧力センサ、または温度センサをさらに含むことができる。
【０２４５】
通信構成要素２４１６は、デバイス２４００と他のデバイスとの間の有線またはワイヤレス通信を容易にするように構成される。デバイス２４００は、Ｗｉ−Ｆｉ、２Ｇもしくは３Ｇ、または、これらの組合せなどの通信規格に基づいて、ワイヤレス・ネットワークにアクセスすることができる。例示的実施形態では、通信構成要素２４１６は、ブロードキャスト・チャネルを介して、外部ブロードキャスト管理システムからのブロードキャスト信号またはブロードキャスト関連情報を受信する。例示的実施形態では、通信構成要素２４１６は、短距離通信を容易にするための近距離無線通信（ＮＦＣ：ｎｅａｒ  ｆｉｅｌｄ  ｃｏｍｍｕｎｉｃａｔｉｏｎ）モジュールをさらに含む。例えば、ＮＦＣモジュールは、無線自動識別（ＲＦＩＤ）技術、赤外線データ協会（ＩｒＤＡ）技術、超広帯域（ＵＷＢ）技術、Ｂｌｕｅｔｏｏｔｈ（Ｒ）（ＢＴ）技術、および他の技術に基づいて実現することができる。
【０２４６】
例示的実施形態では、デバイス２４００は、１つまたは複数の特定用途向け集積回路（ＡＳＩＣ）、デジタル・シグナル・プロセッサ（ＤＳＰ）、デジタル信号処理デバイス（ＤＳＰＤ）、プログラマブル・ロジック・デバイス（ＰＬＤ）、フィールド・プログラマブル・ゲート・アレイ（ＦＰＧＡ）、コントローラ、マイクロコントローラ、マイクロプロセッサ、または、上記の実施形態のいずれかで説明したスケジューリング・リクエストを伝送するための方法を実行するための他の電子コンポーネントによって実現することができる。
【０２４７】
例示的実施形態では、上記の方法を実現するために、デバイス２４００のプロセッサ２４２０によって実行可能な命令を含むメモリ２４０４など、命令を含む非一時的コンピュータ可読記憶媒体をさらに提供する。例えば、非一時的コンピュータ可読記憶媒体は、ＲＯＭ、ランダム・アクセス・メモリ（ＲＡＭ）、ＣＤ−ＲＯＭ、磁気テープ、フロッピー・ディスク、および光データ記憶デバイスであってもよい。
【０２４８】
本開示の他の実装形態は、本明細書を参照することによって本開示を実現した後、当業者には容易に明らかになるであろう。本出願は、本開示の一般的な原理による本開示の任意の変更、使用、または適合を含み、本開示で開示していない当技術分野における共通の知識または従来の技術的手段を含むことを意図している。本明細書、および、本明細書における実施形態は、例証的なものにすぎず、本開示の範囲および精神は、添付の請求の範囲で示すことになる。
【０２４９】
本開示は、図面に示した上記で説明した正確な構造に限定されず、本明細書の範囲から逸脱することなく、様々な修正および変更を本開示に行うことができるということが理解されよう。本開示の範囲は、添付の請求の範囲によってのみ限定されることになる。
【０２５０】
本明細書で使用した「第１」および「第２」などの関連用語は、１つのエンティティまたは動作を別のエンティティまたは動作と区別するためのものにすぎず、これらのエンティティまたは動作の間に存在する何らかのこのような実際の関係または順序を必要とするまたは意味するためのものではないということに留意されたい。また、用語「含む（ｉｎｃｌｕｄｉｎｇ）」、「収める（ｃｏｎｔａｉｎｉｎｇ）」、または、これらの任意の変形物は、一連の要素を含む処理、方法、項目、またはデバイスが、これらの要素だけでなく、明示的に挙げられていない他の要素、または、このような処理、方法、項目、もしくはデバイスに固有のこれらの要素も含むように、非排他的に含むことを包含するためのものである。より多くの限定なく、「〜を含む（ｉｎｃｌｕｄｉｎｇ  ａ  ．．．）」という表現によって定義された要素は、要素を含む処理、方法、項目、またはデバイスにあるさらなる同じ要素を含むものとして排除されるべきではない。
【０２５１】
本開示の実施形態によって提供される方法および装置は、上記で詳細に説明される。本開示の原理および実装形態を示すために、本開示において具体例を使用する。上記の実施形態の説明は、本開示の方法およびそのコアのアイデアの理解に役立てるためにしか使用しない。さらに、当業者は、本開示のアイデアに従って、特定の実装形態と本出願の範囲の両方を変えることができる。要約すれば、本明細書の内容は、本開示を限定するものと解釈するべきではない。
【図１】
2021517441.tif 000003
【図２】
2021517441.tif 000004
【図３】
2021517441.tif 000005
【図４】
2021517441.tif 000006
【図５】
2021517441.tif 000007
【図６】
2021517441.tif 000008
【図７】
2021517441.tif 000009
【図８】
2021517441.tif 000010
【図９】
2021517441.tif 000011
【図１０】
2021517441.tif 000012
【図１１】
2021517441.tif 000013
【図１２】
2021517441.tif 000014
【図１３】
2021517441.tif 000015
【図１４】
2021517441.tif 000016
【図１５】
2021517441.tif 000017
【図１６】
2021517441.tif 000018
【図１７】
2021517441.tif 000019
【図１８】
2021517441.tif 000020
【図１９】
2021517441.tif 000021
【図２０】
2021517441.tif 000022
【図２１】
2021517441.tif 000023
【図２２】
2021517441.tif 000024
【図２３】
2021517441.tif 000025
【図２４】
2021517441.tif 000026
【手続補正書】
【提出日】令和2年11月4日(2020.11.4)
【手続補正１】
【補正対象書類名】明細書
【補正対象項目名】００７８
【補正方法】変更
【補正の内容】
【００７８】
【図２４】本開示の１つの実施形態によるスケジューリング・リクエストの伝送に適用できるデバイスを示す概略ブロック図である。
【図２５】本開示の一実施形態による、スケジューリング・リクエストを伝送する方法を示す概略フローチャートである。
【図２６】本開示の一実施形態による、スケジューリング・リクエストを伝送する方法を示す概略フローチャートである。
【手続補正２】
【補正対象書類名】明細書
【補正対象項目名】０１２９
【補正方法】変更
【補正の内容】
【０１２９】
１つの実施形態では、第１の論理チャネルに対応するスケジューリング・リクエストのための物理アップリンク制御チャネル伝送と、アップリンク共有チャネルを通じた第２の論理チャネルに対応するデータ伝送との間の時間ドメイン内の重複があると判定すると、ユーザ機器は、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に示すことができる。物理層は、媒体アクセス制御層からの命令に基づいて、第１の事前設定条件を満たした第２の数の第２の伝送機会のうちの１つにおいて、物理アップリンク制御チャネルを通じて第１の論理チャネルに対応するスケジューリング・リクエストを伝送することができる。
【手続補正３】
【補正対象書類名】明細書
【補正対象項目名】０１３３
【補正方法】変更
【補正の内容】
【０１３３】
１つの実施形態では、第１の論理チャネルに対応するスケジューリング・リクエストのための物理アップリンク制御チャネル伝送と、アップリンク共有チャネルを通じた第２の論理チャネルに対応するデータ伝送との間の時間ドメイン内の重複があると判定すると、ユーザ機器は、第１の事前設定条件を満たした第２の数の第２の伝送機会のうちの１つにおいて、アップリンク共有チャネルを通じた第２の論理チャネルに対応するデータ伝送を実行するように物理層に命令する代わりに、第１の事前設定条件を満たした第２の数の第２の伝送機会のうちの１つにおいて、媒体アクセス制御層を介して、物理アップリンク制御チャネルを通じて第１の論理チャネルに対応するスケジューリング・リクエストを伝送するように物理層に命令することができる。
【手続補正４】
【補正対象書類名】明細書
【補正対象項目名】０１３４
【補正方法】変更
【補正の内容】
【０１３４】
この場合、第１の事前設定条件を満たした第２の数の第２の伝送機会のうちの１つにおいて、物理アップリンク制御チャネルを通じて第１の論理チャネルに対応するスケジューリング・リクエストを伝送するために、命令だけが、物理層によって媒体アクセス制御層から受信される。したがって、第１の論理チャネルに対応するスケジューリング・リクエストは、第１の事前設定条件を満たした第２の数の第２の伝送機会のうちの１つにおいて、物理アップリンク制御チャネルを通じて伝送することができる。
【手続補正５】
【補正対象書類名】明細書
【補正対象項目名】０１６２
【補正方法】変更
【補正の内容】
【０１６２】
１つの実施形態では、物理アップリンク制御チャネルを通じて第１の論理チャネルに対応するスケジューリング・リクエストを伝送するための第１の伝送機会について、事前設定した期間内の第１の伝送機会の全てが、第３の数の測定ギャップと重複するかどうか、第１の数の第１の伝送機会の全てが、第３の数の測定ギャップと重複するかどうか、および、事前設定した期間内の第１の数の第１の伝送機会の全てが、第３の数の測定ギャップと重複するかどうかを判定することができる。
【手続補正６】
【補正対象書類名】明細書
【補正対象項目名】０１６７
【補正方法】変更
【補正の内容】
【０１６７】
１つの実施形態では、第１の論理チャネルに対応するスケジューリング・リクエストのための物理アップリンク制御チャネル伝送と、測定ギャップとの間の時間ドメイン内の重複があると判定すると、ユーザ機器は、第３の事前設定条件を満たした第３の数の測定ギャップのうちの１つの中で、媒体アクセス制御層を介して、物理アップリンク制御チャネルを通じて第１の論理チャネルに対応するスケジューリング・リクエストを伝送するように物理層に示すことができる。物理層は、媒体アクセス制御層からの命令に基づいて、第３の事前設定条件を満たした第３の数の測定ギャップのうちの１つの中で、物理アップリンク制御チャネルを通じて第１の論理チャネルに対応するスケジューリング・リクエストを伝送することができる。
【手続補正７】
【補正対象書類名】明細書
【補正対象項目名】０１７７
【補正方法】変更
【補正の内容】
【０１７７】
いくつかの実施形態では、測定ギャップが第４の事前設定条件を満たしたかどうか、例えば、測定ギャップの数が、事前設定した数より小さいかどうかを判定することができる。測定ギャップが事前設定条件を満たすと、第３の事前設定条件を満たした測定ギャップのうちの１つの中で、物理アップリンク制御チャネルを通じて第１の論理チャネルに対応するスケジューリング・リクエストを伝送する代わりに、物理層を介して、測定ギャップ中に他のセルの周波数を監視することができる。さらに、物理層を介してどの動作を実行するかを媒体アクセス制御層が判定し、したがって、その後の命令を提供できるように、媒体アクセス制御層に第２の通知情報を伝送することになる。
【手続補正８】
【補正対象書類名】明細書
【補正対象項目名】０２５１
【補正方法】変更
【補正の内容】
【０２５１】
本開示の実施形態によって提供される方法および装置は、上記で詳細に説明される。本開示の原理および実装形態を示すために、本開示において具体例を使用する。上記の実施形態の説明は、本開示の方法およびそのコアのアイデアの理解に役立てるためにしか使用しない。さらに、当業者は、本開示のアイデアに従って、特定の実装形態と本出願の範囲の両方を変えることができる。要約すれば、本明細書の内容は、本開示を限定するものと解釈するべきではない。
一実施形態では、スケジューリング・リクエストを伝送する方法であって、ユーザ機器に適用可能であり、図２５に示されるように、この方法は以下のステップを含む。
ステップＳ５において、ユーザ機器によってスケジューリング・リクエストを伝送するための物理アップリンク制御チャネル（ＰＵＣＣＨ）リソースが、アップリンク共有チャネル（ＵＬ−ＳＣＨ）リソースと重複するかどうかが決定される。
ステップＳ６において、ユーザ機器によるスケジューリング・リクエストを伝送するためのＰＵＣＣＨリソースがＵＬ−ＳＣＨリソースと重複することに応答して、スケジューリング・リクエストのためのＰＵＣＣＨ送信または重複したＵＬ−ＳＣＨ送信が実行される。
いくつかの実施形態では、この方法はさらに、ユーザ機器がプリセット機能で構成されているかどうかを示す第２の構成情報を受信することを含む。
いくつかの実施形態では、ステップＳ６は、ユーザ機器によってスケジューリング・リクエストを伝送するためのＰＵＣＣＨリソースがＵＬ−ＳＣＨと重複し、ユーザ機器が事前設定機能で構成されていることを決定することに応答して、スケジューリング・リクエストのためのＰＵＣＣＨ送信が実行され、重複したＵＬ−ＳＣＨ送信が一時停止される。
いくつかの実施形態では、ステップＳ６は、ユーザ機器によってスケジューリング・リクエストを伝送するためのＰＵＣＣＨリソースがＵＬ−ＳＣＨリソースと重複し、ユーザ機器が事前設定機能で構成されていないことを決定することに応答して、重複するＵＬ−ＳＣＨ送信が実行され、スケジューリング・リクエストのＰＵＣＣＨ送信が一時停止される。
一実施形態では、スケジューリング・リクエストを伝送する方法であって、ユーザ機器に適用可能であり、図２６に示されるように、この方法は以下のステップを含む。
ステップＳ７において、ユーザ機器によってスケジューリング・リクエストを伝送するための物理アップリンク制御チャネル（ＰＵＣＣＨ）リソースが、アップリンク共有チャネル（ＵＬ−ＳＣＨ）リソースと重複するかどうかが決定される。
ステップＳ８において、ユーザ機器によるスケジューリング・リクエストを伝送するためのＰＵＣＣＨリソースがＵＬ−ＳＣＨリソースと重複することに応答して、スケジューリング・リクエストのためのＰＵＣＣＨ送信または重複したＵＬ−ＳＣＨ送信は優先順位が下げられる。
いくつかの実施形態では、この方法はさらに、ユーザ機器がプリセット機能で構成されているかどうかを示す第２の構成情報を受信することを含む。
いくつかの実施形態では、ステップＳ８は、ユーザ機器によってスケジューリング・リクエストを伝送するためのＰＵＣＣＨリソースがＵＬ−ＳＣＨリソースと重複し、ユーザ機器が事前設定機能で構成されていることを決定することに応答して、重複するＵＬ−ＳＣＨ送信は優先順位が下げられる。
いくつかの実施形態では、ステップＳ８は、以下を含む。ユーザ機器によってスケジューリング・リクエストを伝送するためのＰＵＣＣＨリソースがＵＬ−ＳＣＨリソースと重複し、ユーザ機器が事前設定機能で構成されていないことを決定することに応答して、スケジューリング・リクエストを伝送するためのＰＵＣＣＨの優先順位が下げられる。
【手続補正９】
【補正対象書類名】特許請求の範囲
【補正対象項目名】全文
【補正方法】変更
【補正の内容】
【特許請求の範囲】
【請求項１】
スケジューリング・リクエストを伝送する方法であって、ユーザ機器に適用され、
該ユーザ機器による第１の論理チャネルに対応するスケジューリング・リクエストのための物理アップリンク制御チャネル伝送と、該ユーザ機器の他の動作との間の時間ドメイン内の重複があるかどうかを判定するステップと、
該重複があることに応答して、該物理アップリンク制御チャネルを通じて該第１の論理チャネルに対応する該スケジューリング・リクエストを伝送し、該他の動作を一時中断するステップと
を含む、方法。
【請求項２】
前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があるかどうかを判定するステップの前に、基地局によって送信され、事前設定した論理チャネルを示す第１の構成情報を受信するステップ
をさらに含み、
前記重複があることに応答して、前記物理アップリンク制御チャネルを通じて前記第１の論理チャネルに対応する前記スケジューリング・リクエストを伝送し、前記他の動作を一時中断するステップが、
前記重複があることに応答して、前記第１の論理チャネルが、前記事前設定した論理チャネルであるかどうかを判定するステップ、
前記第１の論理チャネルが、前記事前設定した論理チャネルであることに応答して、前記物理アップリンク制御チャネルを通じて前記第１の論理チャネルに対応する前記スケジューリング・リクエストを伝送し、前記他の動作を一時中断するステップ、および
前記第１の論理チャネルが、前記事前設定した論理チャネルでないことに応答して、前記他の動作を実行するステップ
を含む、
請求項１記載の方法。
【請求項３】
前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があるかどうかを判定するステップの前に、基地局によって送信され、事前設定した機能で前記ユーザ機器が構成されたかどうかを示す第２の構成情報を受信するステップ
をさらに含み、
前記重複があることに応答して、前記物理アップリンク制御チャネルを通じて前記第１の論理チャネルに対応する前記スケジューリング・リクエストを伝送し、前記他の動作を一時中断するステップが、
前記重複があることに応答して、前記事前設定した機能で前記ユーザ機器が構成されたかどうかを判定するステップ、
前記事前設定した機能で前記ユーザ機器が構成されたことに応答して、前記物理アップリンク制御チャネルを通じて前記第１の論理チャネルに対応する前記スケジューリング・リクエストを伝送し、前記他の動作を一時中断するステップ、および
前記事前設定した機能で前記ユーザ機器が構成されなかったことに応答して、前記他の動作を実行するステップ
を含む、
請求項１記載の方法。
【請求項４】
前記他の動作が、
前記ユーザ機器によってアップリンク共有チャネルを通じて実行された、第２の論理チャネルに対応するデータ伝送、または
前記ユーザ機器によって測定ギャップ中に現在のセル以外の他のセルの周波数を監視することであって、該測定ギャップが、前記ユーザ機器によって該他のセルの該周波数を常に監視する継続期間である、監視すること
のうちの少なくとも１つを含む、請求項２または３記載の方法。
【請求項５】
前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があるかどうかを判定するステップが、
前記ユーザ機器による前記第１の論理チャネルに対応する前記スケジューリング・リクエストのための前記物理アップリンク制御チャネル伝送と、前記ユーザ機器によって前記アップリンク共有チャネルを通じて実行された、前記第２の論理チャネルに対応する前記データ伝送との間の時間ドメイン内の重複があるかどうかを判定するステップ
を含む、請求項１記載の方法。
【請求項６】
前記物理アップリンク制御チャネルを通じて前記第１の論理チャネルに対応する前記スケジューリング・リクエストを伝送し、前記他の動作を一時中断するステップが、
前記第１の論理チャネルの優先度が前記第２の論理チャネルの優先度より高いかどうかを判定するステップと、
前記第１の論理チャネルの該優先度が前記第２の論理チャネルの該優先度より高いことに応答して、前記物理アップリンク制御チャネルを通じて前記第１の論理チャネルに対応する前記スケジューリング・リクエストを伝送し、前記アップリンク共有チャネルを通じた前記第２の論理チャネルに対応する前記データ伝送を一時中断するステップと
を含む、請求項５記載の方法。
【請求項７】
前記第１の論理チャネルの前記優先度が、前記第１の論理チャネルに対応する第１のサービスに必要な遅延に反比例したものであり、
前記第２の論理チャネルの前記優先度が、前記第２の論理チャネルに対応する第２のサービスに必要な遅延に反比例したものである、
請求項６記載の方法。
【請求項８】
前記ユーザ機器による前記第１の論理チャネルに対応する前記スケジューリング・リクエストのための前記物理アップリンク制御チャネル伝送と、前記ユーザ機器によって前記アップリンク共有チャネルを通じて実行された、前記第２の論理チャネルに対応する前記データ伝送との間の時間ドメイン内の前記重複があるかどうかを判定するステップが、
事前設定した期間内の、および／または、第１の数の、第１の伝送機会の全てが、第２の数の第２の伝送機会と重複するかどうかを判定するステップであって、該第１の伝送機会が、前記物理アップリンク制御チャネルを通じて前記第１の論理チャネルに対応する前記スケジューリング・リクエストを伝送するためのものであり、該第２の伝送機会が、前記アップリンク共有チャネルを通じた前記第２の論理チャネルに対応する前記データ伝送のためのものである、ステップと、
前記判定結果が「はい」であることに応答して、前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があると判定するステップと
を含む、請求項５記載の方法。
【請求項９】
前記他の動作を一時中断するステップが、
第１の事前設定条件を満たした前記第２の数の第２の伝送機会のうちの１つにおいて、媒体アクセス制御層を介して、前記物理アップリンク制御チャネルを通じて前記第１の論理チャネルに対応する前記スケジューリング・リクエストを伝送するように物理層に命令するステップと、
該第１の事前設定条件を満たした前記第２の数の第２の伝送機会のうちの該１つにおいて、該物理層を介して、前記物理アップリンク制御チャネルを通じて前記第１の論理チャネルに対応する前記スケジューリング・リクエストを伝送するステップと
を含む、請求項８記載の方法。
【請求項１０】
前記物理アップリンク制御チャネルを通じて前記第１の論理チャネルに対応する前記スケジューリング・リクエストを伝送し、前記他の動作を一時中断するステップが、
前記第１の事前設定条件を満たした前記第２の数の第２の伝送機会のうちの前記１つにおいて、前記アップリンク共有チャネルを通じた前記第２の論理チャネルに対応する前記データ伝送を実行するように前記物理層に命令する代わりに、前記第１の事前設定条件を満たした前記第２の数の第２の伝送機会のうちの前記１つにおいて、媒体アクセス制御層を介して、前記物理アップリンク制御チャネルを通じて前記第１の論理チャネルに対応する前記スケジューリング・リクエストを伝送するように前記物理層に命令するステップ
を含む、請求項８記載の方法。
【請求項１１】
前記第１の事前設定条件を満たした前記第２の伝送機会のうちの前記１つが、
優先度が最低の第２の論理チャネルに対応する前記第２の伝送機会のうちの１つ、または
前記第１の伝送機会のうちの最も早い１つと時間ドメイン内で重複する前記第２の伝送機会のうちの１つ
を含む、請求項９または１０記載の方法。
【請求項１２】
前記第１の事前設定条件を満たした前記第２の数の第２の伝送機会のうちの前記１つにおいて、前記物理層を介して、前記物理アップリンク制御チャネルを通じて前記第１の論理チャネルに対応する前記スケジューリング・リクエストを伝送するステップが、
前記重複があることに応答して、前記第２の伝送機会が第２の事前設定条件を満たしたかどうかを判定するステップと、
前記第２の伝送機会が前記第２の事前設定条件を満たしたことに応答して、および、前記物理層を介して、前記第２の伝送機会において、前記アップリンク共有チャネルを通じた前記第２の論理チャネルに対応する前記データ伝送を実行するステップと、
前記第２の伝送機会において、前記物理層を介して、前記アップリンク共有チャネルを通じて前記第２の論理チャネルに対応する前記データ伝送を実行したことを前記媒体アクセス制御層に知らせるために、前記物理層から前記媒体アクセス制御層に第１の通知情報を伝送するステップと
を含む、請求項９記載の方法。
【請求項１３】
前記第２の事前設定条件が、前記第２の伝送機会の数が１に等しいことである、請求項１２記載の方法。
【請求項１４】
前記ユーザ機器による前記第１の論理チャネルに対応する前記スケジューリング・リクエストのための前記物理アップリンク制御チャネル伝送と、前記ユーザ機器の前記他の動作との間の時間ドメイン内の前記重複があるかどうかを判定するステップが、
前記ユーザ機器による前記第１の論理チャネルに対応する前記スケジューリング・リクエストのための前記物理アップリンク制御チャネル伝送と、前記ユーザ機器によって測定ギャップ中に現在のセル以外の他のセルの周波数を監視することとの間の時間ドメイン内の重複があるかどうかを判定するステップであって、該測定ギャップが、前記ユーザ機器によって前記他のセルの周波数を常に監視する継続期間である、ステップ
を含む、請求項１記載の方法。
【請求項１５】
スケジューリング・リクエストを伝送する方法であって、ユーザ機器に適用され、
ユーザ機器によってスケジューリング・リクエストを伝送するための物理アップリンク制御チャネル（ＰＵＣＣＨ）リソースがアップリンク共有チャネル（ＵＬ−ＳＣＨ）リソースと重複するかどうかを決定し、および
ユーザ機器によるスケジューリング・リクエストを伝送するためのＰＵＣＣＨリソースがＵＬ−ＳＣＨリソースと重複することに応答して、スケジューリング・リクエストのためのＰＵＣＣＨ送信または重複したＵＬ−ＳＣＨ送信を実行する、方法。
【請求項１６】
前記スケジューリング・リクエストのためのＰＵＣＣＨ送信または重複したＵＬ−ＳＣＨ送信を実行することは、
スケジューリング・リクエストを伝送するためのＰＵＣＣＨリソースがＵＬ−ＳＣＨリソースと重複し、ユーザ機器が事前設定機能で構成されていることに応答して、スケジューリング・リクエストのためのＰＵＣＣＨ送信を実行し、重複したＵＬ−ＳＣＨ送信を一時停止する、ことを含む、請求項１５に記載の方法。
【請求項１７】
前記スケジューリング・リクエストのためのＰＵＣＣＨ送信または重複したＵＬ−ＳＣＨ送信を実行することは、
スケジューリング・リクエストを伝送するためのＰＵＣＣＨリソースがＵＬ−ＳＣＨリソースと重複し、ユーザ機器が事前設定機能で構成されていないことに応答して、重複したＵＬ−ＳＣＨ送信を実行し、スケジューリング・リクエストのためのＰＵＣＣＨ送信を一時停止する、請求項１５に記載の方法。
【請求項１８】
スケジューリング・リクエストを伝送する方法であって、ユーザ機器に適用され、
ユーザ機器によってスケジューリング・リクエストを伝送するための物理アップリンク制御チャネル（ＰＵＣＣＨ）リソースがアップリンク共有チャネル（ＵＬ−ＳＣＨ）リソースと重複するかどうかを決定し、および、
ユーザ機器によるスケジューリング・リクエストを伝送するためのＰＵＣＣＨリソースがＵＬ−ＳＣＨリソースと重複することに応答して、スケジューリング・リクエストのためのＰＵＣＣＨ送信または重複したＵＬ−ＳＣＨ送信の優先順位を下げる、方法。
【請求項１９】
前記スケジューリング・リクエストのためのＰＵＣＣＨ送信または重複したＵＬ−ＳＣＨ送信の優先順位を下げることは、
スケジューリング・リクエストを伝送するためのＰＵＣＣＨリソースがＵＬ−ＳＣＨリソースと重複し、ユーザ機器が事前設定機能で構成されていることに応答して、重複したＵＬ−ＳＣＨ送信の優先順位を下げる、請求項１８に記載の方法。
【請求項２０】
前記スケジューリング・リクエストのためのＰＵＣＣＨ送信または重複したＵＬ−ＳＣＨ送信の優先順位を下げることは、
スケジューリング・リクエストを伝送するためのＰＵＣＣＨリソースがＵＬ−ＳＣＨリソースと重複し、ユーザ機器が事前設定機能で構成されていないことに応答して、スケジューリング・リクエストのためのＰＵＣＣＨ送信の優先順位を下げる、請求項１８に記載の方法。
【手続補正１０】
【補正対象書類名】図面
【補正対象項目名】図２５
【補正方法】変更
【補正の内容】
【図２５】
2021517441.tif 000027
【手続補正１１】
【補正対象書類名】図面
【補正対象項目名】図２６
【補正方法】変更
【補正の内容】
【図２６】
2021517441.tif 000028
【国際調査報告】
2021517441.tif 000029
2021517441.tif 000030
2021517441.tif 000031
2021517441.tif 000032